(57)【特許請求の範囲】
【請求項１】
ユーザ機器（ＵＥ）から多重コードワードアップリンク送信の複数のコードワードを受信することと、
前記複数のコードワードの復号化ステータスを判断することと、
前記複数のコードワードの前記復号化ステータスに基づいて単一の物理ハイブリッド自動再送要求（ＨＡＲＱ）インジケータチャネル（ＰＨＩＣＨ）がマッピングされるリソース要素を選択することと、
前記複数のコードワードの前記復号化ステータスを前記ＵＥに送ることと
を備え、前記送ることは、前記ＰＨＩＣＨを介して前記復号化ステータスを送ることを備える、ワイヤレス通信のための方法。
【請求項２】
前記単一のＰＨＩＣＨによって搬送されるインジケータと、前記単一のＰＨＩＣＨがマッピングされる前記リソース要素とを使用して、前記複数のコードワードの前記復号化ステータスを伝達することをさらに備える、
請求項１に記載の方法。
【請求項３】
前記送ることは、少なくとも部分的に物理ダウンリンク制御チャネル（ＰＤＣＣＨ）を送ることによって、前記複数のコードワードの前記復号化ステータスを送ることを備える、
請求項１に記載の方法。
【請求項４】
前記ＰＤＣＣＨは、第１のコードワードに対応する第１の復号化ステータスと、第２のコードワードに対応する第２の復号化ステータスとを識別する情報を搬送する、
請求項３に記載の方法。
【請求項５】
前記ＰＤＣＣＨは、前記複数のコードワードから特定のコードワードを指定する情報を搬送する、
請求項３に記載の方法。
【請求項６】
前記特定のコードワードの復号化ステータスが、物理ハイブリッド自動再送要求（ＨＡＲＱ）インジケータチャネル（ＰＨＩＣＨ）によって搬送されるインジケータによって伝達される、
請求項５に記載の方法。
【請求項７】
前記特定のコードワードの復号化ステータスがあらかじめ決定される、請求項５に記載の方法。
【請求項８】
前記ＰＤＣＣＨが、トランスポートブロックコードワードスワップを適用するように前記ＵＥに示す情報を搬送する、
請求項３に記載の方法。
【請求項９】
ユーザ機器（ＵＥ）から多重コードワードアップリンク送信の複数のコードワードを受信するための受信モジュールと、
前記複数のコードワードの復号化ステータスを判断するための復号化モジュールと、
前記複数のコードワードの前記復号化ステータスに基づいて単一の物理ハイブリッド自動再送要求（ＨＡＲＱ）インジケータチャネル（ＰＨＩＣＨ）がマッピングされるリソース要素を選択するためのリソースマッピングモジュールと、
前記複数のコードワードの前記復号化ステータスを前記ＵＥに送るための送信モジュールと
を備え前記送信モジュールは、前記ＰＨＩＣＨを送ることによって前記複数のコードワードの前記復号化ステータスを送るように構成される、ワイヤレス通信のための装置。
【請求項１０】
前記送信モジュールは、前記単一のＰＨＩＣＨによって搬送されるインジケータと、前記単一のＰＨＩＣＨがマッピングされる前記リソース要素とを使用して、前記複数のコードワードの前記復号化ステータスを送るように構成される、
請求項９に記載の装置。
【請求項１１】
前記送信モジュールは、少なくとも部分的に物理ダウンリンク制御チャネル（ＰＤＣＣＨ）を送ることによって、前記複数のコードワードの前記復号化ステータスを送るように構成される、
請求項９に記載の装置。
【請求項１２】
前記ＰＤＣＣＨは、第１のコードワードに対応する第１の復号化ステータスと、第２のコードワードに対応する第２の復号化ステータスとを識別する情報を搬送する、
請求項１１に記載の装置。
【請求項１３】
前記ＰＤＣＣＨは、前記複数のコードワードから特定のコードワードを指定する情報を搬送する、
請求項１１に記載の装置。
【請求項１４】
前記特定のコードワードの復号化ステータスは、物理ハイブリッド自動再送要求（ＨＡＲＱ）インジケータチャネル（ＰＨＩＣＨ）によって搬送されるインジケータによって伝達される、
請求項１３に記載の装置。
【請求項１５】
ユーザ機器（ＵＥ）から多重コードワードアップリンク送信の複数のコードワードを受信するための手段と、
前記複数のコードワードの復号化ステータスを判断するための手段と、
前記複数のコードワードの前記復号化ステータスに基づいて前記単一の物理ハイブリッド自動再送要求（ＨＡＲＱ）インジケータチャネル（ＰＨＩＣＨ）がマッピングされるリソースを選択するための手段と、
前記複数のコードワードの前記復号化ステータスを前記ＵＥに送るための手段と
を備え送るための前記手段は、前記複数のコードワードの前記復号化ステータスを伝達する前記単一のＰＨＩＣＨを前記ＵＥに送るための手段を備える、ワイヤレス通信のための装置。
【請求項１６】
送るための前記手段は、前記複数のコードワードの前記復号化ステータスの少なくとも一部分を伝達する物理ダウンリンク制御チャネル（ＰＤＣＣＨ）を前記ＵＥに送るための手段を備える、
請求項１５に記載の装置。
【請求項１７】
コンピュータに、ユーザ機器（ＵＥ）から多重コードワードアップリンク送信の複数のコードワードを受信させるためのコードと、
前記コンピュータに、前記複数のコードワードの復号化ステータスを判断させるためのコードと、
前記コンピュータに、前記複数のコードワードの前記復号化ステータスに基づいて前記単一の物理ハイブリッド自動再送要求（ＨＡＲＱ）インジケータチャネル（ＰＨＩＣＨ）がマッピングされるリソースを選択させるための手段と、
前記コンピュータに、前記複数のコードワードの前記復号化ステータスを前記ＵＥにシグナリングさせるためのコードと
を備え、前記コンピュータに、シグナリングさせるための前記コードは、前記コンピュータに、前記複数のコードワードの前記復号化ステータスを伝達する前記ＰＨＩＣＨを前記ＵＥに送らせるためのコードを備える、コンピュータプログラム。
【請求項１８】
シグナリングするための前記コードは、前記複数のコードワードの前記復号化ステータスの少なくとも一部分を伝達する物理ダウンリンク制御チャネル（ＰＤＣＣＨ）を前記ＵＥに送るためのコードを備える、
請求項１７に記載のコンピュータプログラム。
【請求項１９】
アップリンク多入力多出力（ＭＩＭＯ）送信の一部として複数のコードワードを基地局に送ることと、
前記基地局から伝達された前記複数のコードワードの復号化ステータスを検出することと、ここで、前記検出することは、単一の物理ハイブリッド自動再送要求（ＨＡＲＱ）インジケータチャネル（ＰＨＩＣＨ）から前記復号化ステータスを検出することを備える、
複数のリソース要素ロケーションにおいて前記単一のＰＨＩＣＨを復号化しようと試みることと、
前記複数のリソース要素ロケーションにおける復号化結果と前記単一のＰＨＩＣＨによって搬送されるインジケータとに応じて前記復号化ステータスを判断することと
を備える、ワイヤレス通信のための方法。
【請求項２０】
前記検出することは、少なくとも部分的に物理ダウンリンク制御チャネル（ＰＤＣＣＨ）から前記復号化ステータスを検出することを備える、
請求項１９に記載の方法。
【請求項２１】
前記ＰＤＣＣＨは、第１のコードワードに対応する第１の復号化ステータスと、第２のコードワードに対応する第２の復号化ステータスとを識別する情報を搬送する、
請求項２０に記載の方法。
【請求項２２】
前記ＰＤＣＣＨは、前記複数のコードワードから特定のコードワードを指定する情報を搬送し、前記特定のコードワードの復号化ステータスは、あらかじめ決定されるか、または物理ハイブリッド自動再送要求（ＨＡＲＱ）インジケータチャネル（ＰＨＩＣＨ）によって搬送されるインジケータによって伝達される、
請求項２０に記載の方法。
【請求項２３】
アップリンク多入力多出力（ＭＩＭＯ）送信の一部として複数のコードワードを基地局に送るための送信モジュールと、
前記基地局から伝達された復号化ステータスを受信するための受信モジュールと、
前記複数のコードワードの前記復号化ステータスを検出するための検出モジュールと、ここで、前記検出モジュールは、単一の物理ハイブリッド自動再送要求（ＨＡＲＱ）インジケータチャネル（ＰＨＩＣＨ）から前記複数のコードワードの前記復号化ステータスを検出するように構成される、
複数のリソース要素ロケーションにおいて前記単一のＰＨＩＣＨを復号化しようと試みるための復号化モジュールと
を備え、前記検出モジュールは、前記複数のリソース要素ロケーションにおける復号化結果と前記単一のＰＨＩＣＨによって搬送されるインジケータとに応じて前記複数のコードワードの前記復号化ステータスを導出するように構成される、ワイヤレス通信のための装置。
【請求項２４】
前記検出モジュールは、少なくとも部分的に物理ダウンリンク制御チャネル（ＰＤＣＣＨ）から前記複数のコードワードの前記復号化ステータスを検出するように構成される、
請求項２３に記載の装置。
【請求項２５】
アップリンク多入力多出力（ＭＩＭＯ）送信の一部として複数のコードワードを基地局に送るための手段と、
前記基地局から伝達された前記複数のコードワードの復号化ステータスを検出するための手段と、
前記基地局から前記復号化ステータスを伝達する単一の物理ハイブリッド自動再送要求（ＨＡＲＱ）インジケータチャネル（ＰＨＩＣＨ）を受信するための手段と、
複数のリソース要素ロケーションにおいて前記単一のＰＨＩＣＨを復号化しようと試みるための手段と、
前記複数のリソース要素ロケーションにおける復号化結果と前記単一のＰＨＩＣＨによって搬送されるインジケータとに応じて前記復号化ステータスを判断するための手段と
を備える、ワイヤレス通信のための装置。
【請求項２６】
前記基地局から前記復号化ステータスの少なくとも一部分を伝達する物理ダウンリンク制御チャネル（ＰＤＣＣＨ）を受信するための手段をさらに備える、
請求項２５に記載の装置。
【請求項２７】
コンピュータに、アップリンク多入力多出力（ＭＩＭＯ）送信の一部として複数のコードワードを基地局に送らせるためのコードと、
前記コンピュータに、前記基地局から伝達された前記複数のコードワードの復号化ステータスを検出させるためのコードと、
前記コンピュータに、前記基地局から前記復号化ステータスを伝達する単一の物理ハイブリッド自動再送要求（ＨＡＲＱ）インジケータチャネル（ＰＨＩＣＨ）を受信させるためのコードと、
前記コンピュータに、複数のリソース要素ロケーションにおいて前記単一のＰＨＩＣＨを復号化しようと試みさせるためのコードと、
前記コンピュータに、前記複数のリソース要素ロケーションにおける復号化結果と前記単一のＰＨＩＣＨによって搬送されるインジケータとに応じて前記復号化ステータスを判断させるためのコードと
を備える、コンピュータプログラム。
【請求項２８】
前記コンピュータに、前記基地局から前記復号化ステータスの少なくとも一部分を伝達する物理ダウンリンク制御チャネル（ＰＤＣＣＨ）を受信させるためのコードをさらに備える、
請求項２７に記載のコンピュータプログラム。
【発明の詳細な説明】
【関連出願】
【０００１】
関連出願の相互参照  
本出願は、２００９年７月３０日に出願された「ＨＹＢＲＩＤ  ＡＵＴＯＭＡＴＩＣ  ＲＥＰＥＡＴ  ＲＥＱＵＥＳＴ  ＯＰＥＲＡＴＩＯＮ  ＡＮＤ  ＤＥＣＯＤＩＮＧ  ＳＴＡＴＵＳ  ＳＩＧＮＡＬＩＮＧ」と題する米国仮特許出願第６１／２３０，０８４号の利益を主張する。上述の出願の全体は参照により本明細書に組み込まれる。
【技術分野】
【０００２】
以下の説明は、一般にワイヤレス通信に関し、より詳細には、アップリンク多入力多出力（ＭＩＭＯ）を採用するワイヤレス通信システムにおいて復号化ステータスをシグナリングすることに関する。
【背景技術】
【０００３】
ワイヤレス通信システムは、たとえば、ボイス、データなど、様々なタイプの通信コンテンツを提供するために広く展開されている。典型的なワイヤレス通信システムは、利用可能なシステムリソース（たとえば、帯域幅、送信電力、．．．）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、システムは、Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）、３ＧＰＰ  Ｌｏｎｇ  Ｔｅｒｍ  Ｅｖｏｌｕｔｉｏｎ（ＬＴＥ）、Ｕｌｔｒａ  Ｍｏｂｉｌｅ  Ｂｒｏａｄｂａｎｄ（ＵＭＢ）などの仕様、またはＥｖｏｌｕｔｉｏｎ  Ｄａｔａ  Ｏｐｔｉｍｉｚｅｄ（ＥＶ−ＤＯ）、その１つまたは複数のリビジョンなどのマルチキャリアワイヤレス仕様に準拠することができる。
【０００４】
一般に、ワイヤレス多元接続通信システムは、複数のユーザ機器（ＵＥ）のための通信を同時にサポートすることができる。各ＵＥは、順方向リンクおよび逆方向リンク上での伝送を介して１つまたは複数の基地局と通信することができる。順方向リンク（またはダウンリンク）とは、基地局からＵＥへの通信を指し、逆方向リンク（またはアップリンク）とは、ＵＥから基地局への通信リンクを指す。さらに、ＵＥと基地局の間の通信は、単入力単出力（ＳＩＳＯ）システム、多入力単出力（ＭＩＳＯ）システム、多入力多出力（ＭＩＭＯ）システムなどを介して確立され得る。さらに、ピアツーピアワイヤレスネットワーク構成では、ＵＥは他のＵＥと（および／または基地局は他の基地局と）通信することができる。
【０００５】
従来、ＵＥは、（たとえば、所与の時間などに）アップリンクを介して基地局に単一のコードワードを送信することができる。たとえば、基地局は、単一のコードワードを受信し、復号化しようと試みることができる。単一のコードワードの復号化に成功した場合、基地局は、肯定応答（ＡＣＫ）をＵＥにシグナリングすることができる。代替的に、単一のコードワードの復号化に失敗した場合、基地局は、否定応答（ＮＡＫ）をＵＥにシグナリングすることができる。たとえば、１ビットインジケータは、単一のコードワードの、ＵＥへの復号化ステータス（たとえば、ＡＣＫまたはＮＡＫなど）を指定することができる（たとえば、「１」がＡＣＫを示し、「０」がＮＡＫを示すことができ、「０」がＡＣＫを示し、「１」がＮＡＫを示すことができるなど）。１ビットインジケータはハイブリッド自動再送要求（ＨＡＲＱ）インジケータとすることができる。さらに、インジケータは、物理ＨＡＲＱインジケータチャネル（ＰＨＩＣＨ）上で搬送され得る。
【０００６】
一般に、１ビットインジケータは、アップリンクデータチャネル（たとえば、物理アップリンク共有チャネル（ＰＵＳＣＨ）など）上で送られる単一のトランスポートブロックに対応する単一のコードワードの復号化ステータスを識別するために、ＰＨＩＣＨ上で搬送され得る。しかしながら、２つ以上のコードワードがＵＥによってアップリンクデータチャネル（たとえば、ＰＵＳＣＨなど）上で基地局に送られるとき、ＰＨＩＣＨ上で搬送される１ビットインジケータの従来の使用はあいまいさを生じ得る。たとえば、アップリンクＭＩＭＯを実装することによってアップリンクピークレートを拡大するために、アップリンクにおける多重コードワード送信がサポートされ得る。さらに、ＰＨＩＣＨ上で搬送される１ビットインジケータを介して２つ以上のコードワードに対応する２つ以上の復号化ステータスをＵＥに知らせようと試みることは、あいまいさを生じ得る（たとえば、１つのコードワードの復号化に失敗したとき、または２つ以上のコードワードの復号化に失敗したときなどにＮＡＫが送られ得る）。したがって、ＵＥは、複数のコードワードの復号化に成功したのか、複数のコードワードの復号化に失敗したのか、または複数のコードワードのサブセットの復号化に成功し、複数のコードワードの残りの復号化に失敗したのかを明確に認識することができないことがある。たとえば、上記は、基地局が復号化に成功した（１つまたは複数の）コードワードの不要な再送信をもたらすことがあり、それによりワイヤレス通信環境における非効率が生じることがある。
【発明の概要】
【０００７】
以下で、１つまたは複数の実施形態の基本的な理解を与えるために、そのような実施形態の簡略化された概要を提示する。この概要は、すべての企図される実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【０００８】
その１つまたは複数の実施形態および対応する開示に従って、ワイヤレス通信環境において復号化ステータスの伝達を可能にすることに関して、様々な態様について説明する。ＵＥは、アップリンク多入力多出力（ＭＩＭＯ）送信の一部として複数のコードワードを基地局に送信することができる。基地局は、複数のコードワードを受信し、復号化しようと試みることができる。さらに、複数のコードワードの復号化ステータスが判断され得る。その上、複数のコードワードの復号化ステータスがＵＥに送られ得る。たとえば、複数のコードワードの復号化ステータスは、単一のＰＨＩＣＨを介して伝達され得る。別の例によれば、複数のＰＨＩＣＨが復号化ステータスを伝達することができる。さらなる一例によれば、復号化ステータスは、少なくとも部分的にＰＤＣＣＨを介して伝達され得る。
【０００９】
関係する態様によれば、ワイヤレス通信環境において復号化ステータスを伝達することを可能にする方法について本明細書で説明する。本方法は、ユーザ機器（ＵＥ）から多重コードワードアップリンク送信の複数のコードワードを受信することを含むことができる。さらに、本方法は、複数のコードワードを復号化しようと試みることを含むことができる。その上、本方法は、複数のコードワードの復号化ステータスを判断することを含むことができる。本方法はまた、複数のコードワードの復号化ステータスをＵＥにシグナリングすることを含むことができる。
【００１０】
別の態様はワイヤレス通信のための装置に関する。本装置は、ユーザ機器（ＵＥ）から多重コードワードアップリンク送信の複数のコードワードを受信するための受信モジュールを含み得る。さらに、本装置は、複数のコードワードの復号化ステータスを判断するための復号化モジュールを含み得る。その上、本装置は、複数のコードワードの復号化ステータスをＵＥに送るための送信モジュールを含み得る。
【００１１】
さらに別の態様は、ワイヤレス通信環境において復号化ステータスを伝達することを可能にする装置に関する。本装置は、ユーザ機器（ＵＥ）から多重コードワードアップリンク送信の複数のコードワードを受信するための手段を含むことができる。さらに、本装置は、複数のコードワードの復号化ステータスを判断するための手段を含むことができる。その上、本装置は、複数のコードワードの復号化ステータスをＵＥに送るための手段を含むことができる。
【００１２】
さらに別の態様は、コンピュータ可読媒体を備えることができるコンピュータプログラム製品に関する。本コンピュータ可読媒体は、ユーザ機器（ＵＥ）から多重コードワードアップリンク送信の複数のコードワードを受信するためのコードを含むことができる。さらに、本コンピュータ可読媒体は、複数のコードワードの復号化ステータスを判断するためのコードを含むことができる。その上、本コンピュータ可読媒体は、複数のコードワードの復号化ステータスをＵＥにシグナリングするためのコードを含むことができる。
【００１３】
別の態様によれば、本装置はプロセッサを含むことができ、本プロセッサは、ユーザ機器（ＵＥ）から多重コードワードアップリンク送信の複数のコードワードを受信するように構成され得る。その上、本プロセッサは、複数のコードワードを復号化しようと試みるように構成され得る。さらに、本プロセッサは、試みに基づいて複数のコードワードの復号化ステータスを判断するように構成され得る。本プロセッサはまた、複数のコードワードの復号化ステータスをＵＥに送るように構成され得る。
【００１４】
他の態様によれば、ワイヤレス通信環境において復号化ステータスを取得することを可能にする方法について本明細書で説明する。本方法は、アップリンク多入力多出力（ＭＩＭＯ）送信の一部として複数のコードワードを基地局に送ることを含むことができる。さらに、本方法は、基地局から伝達された複数のコードワードの復号化ステータスを検出することを含むことができる。
【００１５】
別の態様はワイヤレス通信のための装置に関する。本装置は、アップリンク多入力多出力（ＭＩＭＯ）送信の一部として複数のコードワードを基地局に送るための送信モジュールを含み得る。さらに、本装置は、基地局から伝達された復号化ステータスを受信するための受信モジュールを含み得る。さらに、本装置は、複数のコードワードの復号化ステータスを検出するための検出モジュールを含み得る。
【００１６】
さらに別の態様は、ワイヤレス通信環境において復号化ステータスを取得することを可能にする装置に関する。本装置は、アップリンク多入力多出力（ＭＩＭＯ）送信の一部として複数のコードワードを基地局に送るための手段を含むことができる。その上、本装置は、基地局から伝達された複数のコードワードの復号化ステータスを検出するための手段を含むことができる。
【００１７】
さらに別の態様は、コンピュータ可読媒体を備えることができるコンピュータプログラム製品に関する。本コンピュータ可読媒体は、アップリンク多入力多出力（ＭＩＭＯ）送信の一部として複数のコードワードを基地局に送るためのコードを含むことができる。さらに、本コンピュータ可読媒体は、基地局から伝達された複数のコードワードの復号化ステータスを検出するためのコードを含むことができる。
【００１８】
別の態様によれば、ワイヤレス通信装置はプロセッサを含むことができ、本プロセッサは、アップリンク多入力多出力（ＭＩＭＯ）送信の一部として複数のコードワードを基地局に送るように構成され得る。その上、本プロセッサは、基地局から伝達された複数のコードワードの復号化ステータスを検出するように構成され得る。
【００１９】
上記および関係する目的の達成に向けて、１つまたは複数の実施形態は、以下で十分に説明し、特に特許請求の範囲で指摘する特徴を備える。以下の説明および添付の図面は、１つまたは複数の実施形態のいくつかの例示的な態様を詳細に記述する。ただし、これらの態様は、様々な実施形態の原理を採用することができる様々な方法のほんのいくつかを示すものであり、説明する実施形態は、すべてのそのような態様およびそれらの均等物を含むものとする。
【図面の簡単な説明】
【００２０】
【図１】本明細書に記載の様々な態様によるワイヤレス通信システムの図。
【図２】ワイヤレス通信環境において復号化ステータスをシグナリングする例示的なシステムの図。
【図３】ワイヤレス通信環境において複数のＰＨＩＣＨを介してアップリンクＭＩＭＯを採用するＵＥによって送られた複数のコードワードの復号化ステータスをシグナリングする例示的なシステムの図。
【図４】ワイヤレス通信環境において単一のＰＨＩＣＨを介してアップリンクＭＩＭＯを採用するＵＥによって送られた複数のコードワードの復号化ステータスをシグナリングする例示的なシステムの図。
【図５】ワイヤレス通信環境において単一のＰＨＩＣＨを介してアップリンクＭＩＭＯを採用するＵＥによって送られた複数のコードワードの復号化ステータスをシグナリングする例示的なシステムの図。
【図６】ワイヤレス通信環境において複数のＰＨＩＣＨを介してアップリンクＭＩＭＯを採用するＵＥによって送られた複数のコードワードの復号化ステータスをシグナリングする例示的なシステムの図。
【図７】ワイヤレス通信環境において復号化ステータスを伝達することを可能にする例示的な方法の図。
【図８】ワイヤレス通信環境において復号化ステータスを取得することを可能にする例示的な方法の図。
【図９】ワイヤレス通信環境において復号化ステータスを伝達することを可能にする例示的なシステムの図。
【図１０】ワイヤレス通信環境において復号化ステータスを取得することを可能にする例示的なシステムの図。
【図１１】本明細書で説明する機能の様々な態様を実装するために利用され得る例示的なシステムの図。
【図１２】本明細書で説明する機能の様々な態様を実装するために利用され得る例示的なシステムの図。
【図１３】本明細書で説明する様々なシステムおよび方法とともに採用され得る例示的なワイヤレスネットワークシステムの図。
【発明を実施するための形態】
【００２１】
次に、図面を参照しながら請求する主題の様々な態様について説明する。図面全体にわたって、同様の要素を指すのに同様の参照符号を使用する。以下の記述では、説明の目的で、１つまたは複数の態様の完全な理解を与えるために多数の具体的な詳細を記載する。ただし、そのような（１つまたは複数の）態様は、これらの具体的な詳細なしに実施できることは明らかであろう。他の例では、１つまたは複数の態様の説明を円滑にするために、よく知られている構造およびデバイスをブロック図の形態で示す。
【００２２】
本出願で使用する「コンポーネント」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、コンポーネントは、プロセッサ上で実行されるプロセス、プロセッサ、集積回路、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方をコンポーネントとすることができる。１つまたは複数のコンポーネントがプロセスおよび／または実行スレッド内に常駐することができ、１つのコンポーネントを１つのコンピュータ上に配置し、および／または２つ以上のコンピュータ間に分散することができる。さらに、これらのコンポーネントは、様々なデータ構造を記憶している様々なコンピュータ可読媒体から実行することができる。これらのコンポーネントは、１つまたは複数のデータパケット（たとえば、ローカルシステム、分散システム内、および／または他のシステムを用いるインターネットなどのネットワーク上の別のコンポーネントと信号を介して相互作用する１つのコンポーネントからのデータ）を有する信号によるなど、ローカルおよび／またはリモートプロセスを介して通信することができる。
【００２３】
本明細書で説明する様々な技法は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および他のそのようなシステムなど様々なワイヤレス通信システムに対して使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。ＣＤＭＡ２０００は、ＩＳ−２０００、ＩＳ−９５、およびＩＳ−８５６規格をカバーする。ＴＤＭＡシステムはＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭなどの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳの今度のリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、アンペアードアンライセンスドスペクトル（unpaired unlicensed spectrums）と、８０２．ｘｘワイヤレスＬＡＮと、ＢＬＵＥＴＯＯＴＨ（登録商標）と任意の他の短距離または長距離ワイヤレス通信技法とをしばしば使用するピアツーピア（たとえば、モバイルツーモバイル）アドホックネットワークシステムをさらに含むことができる。
【００２４】
シングルキャリア周波数分割多元接続（ＳＣ−ＦＤＭＡ）は、シングルキャリア変調および周波数領域等化を利用する。ＳＣ−ＦＤＭＡは、ＯＦＤＭＡシステムと同様のパフォーマンスおよび本質的に同じ全体的な複雑さを有する。ＳＣ−ＦＤＭＡ信号は、その特有のシングルキャリア構造のためにより低いピーク対平均電力比（ＰＡＰＲ）を有する。ＳＣ−ＦＤＭＡは、たとえば、より低いＰＡＰＲが送信電力効率の点でＵＥに大きな利益を与えるアップリンク通信において使用され得る。したがって、ＳＣ−ＦＤＭＡは、３ＧＰＰ  Ｌｏｎｇ  Ｔｅｒｍ  Ｅｖｏｌｕｔｉｏｎ（ＬＴＥ）またはＥｖｏｌｖｅｄ  ＵＴＲＡでアップリンク多元接続方式として実装できる。
【００２５】
さらに、本明細書ではユーザ機器（ＵＥ）に関する様々な態様について説明する。ＵＥは、ボイスおよび／またはデータ接続性を提供するデバイスを指すことができる。ＵＥは、ラップトップコンピュータまたはデスクトップコンピュータなどのコンピューティングデバイスに接続することができ、あるいは携帯情報端末（ＰＤＡ）などの自立型デバイスとすることができる。ＵＥは、システム、加入者ユニット、加入者局、移動局、モバイル、リモート局、リモート端末、モバイルデバイス、ユーザ端末、端末、ワイヤレス通信デバイス、ユーザエージェント、ユーザデバイス、またはアクセス端末と呼ばれることもある。ＵＥは、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスとすることができる。さらに、本明細書では基地局に関する様々な態様について説明する。基地局は、（１つまたは複数の）ＵＥと通信するために利用され得、アクセスポイント、ノードＢ、進化型ノードＢ（ｅノードＢ、ｅＮＢ）、または何らかの他の用語で呼ばれることもある。基地局は、１つまたは複数のセクタを通って、エアインターフェースを介してＵＥと通信する、アクセスネットワーク中のデバイスを指すことができる。基地局は、受信したエアインターフェースフレームをインターネットプロトコル（ＩＰ）パケットに変換することによって、ワイヤレス端末と、ＩＰネットワークを含むことができるアクセスネットワークの残部との間のルータとして働くことができる。基地局はまた、エアインターフェースの属性の管理を調整することができる。
【００２６】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。つまり、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００２７】
その上、本明細書で説明する様々な機能は、ハードウェア、ソフトウェア、ファームウェア、またはそれらの組合せで実装され得る。ソフトウェアで実装した場合、機能は、１つまたは複数の命令またはコードとしてコンピュータ可読媒体に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる利用可能な媒体とすることができる。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）（ＢＤ）を含み、ディスク（disk）は、通常、データを磁気的に再生し、ディスク（disc）は、データをレーザで光学的に再生する。上記の組合せもコンピュータ可読媒体の範囲内に含めるべきである。
【００２８】
いくつかのデバイス、コンポーネント、モジュールなどを含むことができるシステムに関して、様々な態様を提示する。様々なシステムは、追加のデバイス、コンポーネント、モジュールなどを含むことができ、および／または各図に関連して論じるデバイス、コンポーネント、モジュールなどのうちの１つまたは複数を必ずしも含まないことを理解および諒解されたい。これらの手法の組合せを使用することもできる。
【００２９】
次に図１を参照すると、本明細書で提示する様々な態様によるシステム１００が示されている。システム１００は、複数のアンテナグループを含むことができる基地局１０２を備える。たとえば、１つのアンテナグループはアンテナ１０４および１０６を含み、別のグループはアンテナ１０８および１１０を備え、さらなるグループはアンテナ１１２および１１４を含むことができる。アンテナグループごとに２つのアンテナが示されているが、グループごとにより多いまたはより少ないアンテナが利用され得る。基地局１０２は、さらに、送信機チェーンおよび受信機チェーンを含むことができ、送信機チェーンおよび受信機チェーンの各々は、当業者なら諒解するように、信号送信および受信に関連する複数のコンポーネント（たとえば、プロセッサ、変調器、マルチプレクサ、復調器、デマルチプレクサ、アンテナなど）を備えることができる。
【００３０】
基地局１０２は、ユーザ機器（ＵＥ）１１６およびＵＥ１２２などの１つまたは複数のＵＥと通信することができるが、基地局１０２は、ＵＥ１１６およびＵＥ１２２と同様の実質的にいかなる数のＵＥとも通信することができることを諒解されたい。ＵＥ１１６およびＵＥ１２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはシステム１００を介して通信するための他の何らかの適切なデバイスとすることができる。図示のように、ＵＥ１１６はアンテナ１１２および１１４と通信しており、アンテナ１１２および１１４は、順方向リンク１１８を介してＵＥ１１６に情報を送信し、逆方向リンク１２０を介してＵＥ１１６から情報を受信する。さらに、ＵＥ１２２はアンテナ１０４および１０６と通信しており、アンテナ１０４および１０６は、順方向リンク１２４を介してＵＥ１２２に情報を送信し、逆方向リンク１２６を介してＵＥ１２２から情報を受信する。周波数分割複信（ＦＤＤ）システムでは、たとえば、順方向リンク１１８は、逆方向リンク１２０によって使用される周波数帯とは異なる周波数帯を利用し、順方向リンク１２４は、逆方向リンク１２６によって使用される周波数帯とは異なる周波数帯を採用することができる。さらに、時分割複信（ＴＤＤ）システムでは、順方向リンク１１８および逆方向リンク１２０は共通の周波数帯を利用し、順方向リンク１２４および逆方向リンク１２６は共通の周波数帯を利用することができる。
【００３１】
アンテナの各グループおよび／またはそれらが通信するように指定されたエリアは、基地局１０２のセクタと呼ばれることがある。たとえば、アンテナグループは、基地局１０２によってカバーされるエリアのセクタ内のＵＥと通信するように設計され得る。順方向リンク１１８および１２４を介した通信では、基地局１０２の送信アンテナは、ＵＥ１１６およびＵＥ１２２の順方向リンク１１８および１２４の信号対雑音比を改善するためにビームフォーミングを利用することができる。また、基地局１０２は、ビームフォーミングを利用して、関連するカバレージに中にランダムに散在するＵＥ１１６およびＵＥ１２２に送信するが、基地局が単一のアンテナを介してその基地局のすべてのＵＥに送信する場合と比較して、隣接セル中のアクセス端末は干渉を受けにくい。
【００３２】
システム１００は、アップリンク多入力多出力（ＭＩＭＯ）動作をサポートすることができる。したがって、所与のＵＥ（たとえば、ＵＥ１１６、ＵＥ１２２、．．．）は、特定のサブフレーム中で基地局１０２に複数のコードワードを送信することができる。複数のコードワードは、物理アップリンク共有チャネル（ＰＵＳＣＨ）などのアップリンクデータチャネル上で搬送され得る。アップリンク上での多重コードワード送信の使用は、たとえば、アップリンクピークレートを拡大することができる。
【００３３】
さらに、基地局１０２は、所与のＵＥから複数のコードワードを受信することができ、複数のコードワードを復号化しようと試みることができる。それに基づいて、基地局１０２は、複数のコードワードの復号化ステータスを識別することができる。たとえば、コードワードの復号化ステータスは、コードワードの復号化に成功したということか、またはコードワードの復号化に失敗したということかとすることができる。さらに、基地局１０２は、複数のコードワードの復号化ステータスを所与のＵＥにシグナリングすることができる。例として、基地局１０２は、複数の物理ハイブリッド自動再送要求（ＨＡＲＱ）インジケータチャネル（ＰＨＩＣＨ）によってそれぞれ搬送される複数のインジケータを送ることによって、複数のコードワードの復号化ステータスをシグナリングすることができる。別の例によれば、基地局１０２は、少なくとも部分的に、単一のＰＨＩＣＨによって搬送される単一のインジケータを送ることによって、複数のコードワードの復号化ステータスをシグナリングすることができる。この例に従うと、基地局１０２は、さらに、単一のＰＨＩＣＨがマッピングされるリソース要素に少なくとも部分的に基づいて、複数のコードワードの復号化ステータスをシグナリングすることができる。追加または代替として、単一のＰＨＩＣＨを活用するとき、基地局１０２は、さらに、少なくとも部分的に、ダウンリンク制御チャネル（たとえば、物理ダウンリンク制御チャネル（ＰＤＣＣＨ）など）によって搬送される情報を用いて、複数のコードワードの復号化ステータスをシグナリングすることができる。
【００３４】
次に図２を参照すると、ワイヤレス通信環境において復号化ステータスをシグナリングするシステム２００が示されている。システム２００は、情報、信号、データ、命令、コマンド、ビット、シンボルなどを送信および／または受信することができる基地局２０２を含む。基地局２０２は、順方向リンクおよび／または逆方向リンクを介してＵＥ２０４と通信することができる。ＵＥ２０４は、情報、信号、データ、命令、コマンド、ビット、シンボルなどを送信および／または受信することができる。さらに、図示されていないが、基地局２０２と同様の任意の数の基地局がシステム２００中に含まれ得、および／またはＵＥ２０４と同様の任意の数のＵＥがシステム２００中に含まれ得ることが企図される。
【００３５】
ＵＥ２０４は、アップリンク上で多重コードワードアップリンク送信（たとえば、ＭＩＭＯ送信など）のコードワード２０８を送信することができるアップリンクＭＩＭＯ送信コンポーネント２０６を含むことができる。（たとえば、コードワード２０８などからの）コードワードは、単一のトランスポートブロックに対応する独立して符号化されたデータブロックであり得、独立して符号化されたデータブロックは、巡回冗長検査（ＣＲＣ）によって保護され得る。アップリンクＭＩＭＯ送信コンポーネント２０６は、ＰＵＳＣＨ上でコードワード２０８を送信することができる。たとえば、２つのコードワード（たとえば、コードワード２０８など）を含む多重コードワードアップリンク送信は、アップリンクＭＩＭＯ送信コンポーネント２０６によってサブフレーム中で送られ得るが、請求する主題はそのように限定されないことを諒解されたい。
【００３６】
さらに、アップリンクＭＩＭＯ送信コンポーネント２０６は、送信のためにコードワード２０８をレイヤ２１２上にマッピングすることができるレイヤマッピングコンポーネント２１０を含むことができる。レイヤは、ＵＥ２０４の送信アンテナポート上へのシンボルのマッピングとすることができる。コードワード２０８の数は、レイヤ２１２の数以下とすることができ、レイヤ２１２の数は、ＵＥ２０４の送信アンテナポートの数以下とすることができる。たとえば、レイヤマッピングコンポーネント２１０は、特定のコードワードを１つまたは複数のレイヤにマッピングすることができる。
【００３７】
一例によれば、２つのコードワード（たとえば、コードワード０およびコードワード１、コードワード２０８、．．．）は、レイヤマッピングコンポーネント２１０によって２つのレイヤ（たとえば、レイヤ０およびレイヤ１、レイヤ２１２、．．．）にマッピングされ得る。例として、レイヤマッピングコンポーネント２１０は、コードワード０をレイヤ０にマッピングし、コードワード１をレイヤ１にマッピングすることができるが、請求する主題はそのように限定されない。
【００３８】
さらに、レイヤマッピングコンポーネント２１０は、たとえば、レイヤシフトを実装することができる。一例によれば、第１の時間において、レイヤマッピングコンポーネント２１０は、コードワード０をレイヤ０にマッピングし、コードワード１をレイヤ１にマッピングすることができるが、第２の時間において、レイヤマッピングコンポーネント２１０は、コードワード０をレイヤ１にマッピングし、コードワード１をレイヤ０にマッピングすることができる。したがって、レイヤマッピングコンポーネント２１０は、レイヤ０およびレイヤ１にわたってコードワード０を循環させることができ、同様に、レイヤ１およびレイヤ０にわたってコードワード１を循環させることができる。代替例によれば、レイヤマッピングコンポーネント２１０は、レイヤシフトを必ずしも採用しない。したがって、レイヤマッピングコンポーネント２１０は、経時的にコードワード０をレイヤ０にマッピングし、コードワード１をレイヤ１にマッピングすることができる。ただし、請求する主題は上記に限定されないことを諒解されたい。
【００３９】
基地局２０２は、ＵＥ２０４から多重コードワードアップリンク送信のコードワード２０８を受信することができる。基地局２０２は、復号化コンポーネント２１４とステータスシグナリングコンポーネント２１６とを含むことができる。復号化コンポーネント２１４は、コードワード２０８を復号化しようと試みることができる。さらに、復号化コンポーネント２１４は、コードワード２０８のそれぞれの復号化ステータスを認識することができる。たとえば、復号化コンポーネント２１４によって識別される特定のコードワードの復号化ステータスは、特定のコードワードの復号化に成功したのか、または特定のコードワードの復号化に失敗したのかということとすることができる。再び、ＵＥ２０４によって送られる２つのコードワード（たとえば、コードワード０およびコードワード１、．．．）の例を参照すると、復号化コンポーネント２１４は、コードワード０に対応する復号化ステータスとコードワード１に対応する復号化ステータスとを検出することができる。さらなる例として、コードワード２０８のそれぞれの復号化ステータスは、対応するＣＲＣをパスしたのか、失敗したのかに基づいて、復号化コンポーネント２１４によって生じ得る（たとえば、コードワードについてのＣＲＣをパスしたとき、そのコードワードの復号化ステータスは、復号化に成功したとして識別され得、コードワードについてのＣＲＣに失敗したとき、そのコードワードの復号化ステータスは、復号化に失敗したとして識別され得るなど）。
【００４０】
さらに、ステータスシグナリングコンポーネント２１６は、ＵＥ２０４にコードワード２０８の復号化ステータスをシグナリングすることができる。たとえば、ステータスシグナリングコンポーネント２１６は、ＵＥ２０４に無線で複数のＰＨＩＣＨを送ることによって、コードワード２０８の復号化ステータスをシグナリングすることができる。したがって、複数のＰＨＩＣＨは、複数のコードワード（たとえば、コードワード２０８など）に肯定応答／否定応答（ＡＣＫ／ＮＡＫ）を供給するためにステータスシグナリングコンポーネント２１６によって使用され得る。別の例によれば、ステータスシグナリングコンポーネント２１６は、ＵＥ２０４に無線で単一のＰＨＩＣＨを送ることによって、コードワード２０８の復号化ステータスをシグナリングすることができる。したがって、単一のＰＨＩＣＨは、複数のコードワード（たとえば、コードワード２０８など）にＡＣＫ／ＮＡＫを供給するためにステータスシグナリングコンポーネント２１６によって使用され得る。
【００４１】
ステータスシグナリングコンポーネント２１６は、リソースマッピングコンポーネント２１８とインジケータ選択コンポーネント２２０とをさらに含むことができる。リソースマッピングコンポーネント２１８は、ＰＨＩＣＨを送るために利用されるリソース要素を選択することができる。さらに、複数のＰＨＩＣＨがステータスシグナリングコンポーネント２１６によって採用される場合、リソースマッピングコンポーネント２１８は、複数のＰＨＩＣＨを送るために利用されるリソース要素を選択することができる。さらに、インジケータ選択コンポーネント２２０は、ＰＨＩＣＨによって搬送されるインジケータ（または複数のＰＨＩＣＨによって搬送されるインジケータ）を設定することができる。インジケータ選択コンポーネント２２０によって制御されるインジケータは、たとえば、ＨＡＲＱ  ＡＣＫまたはＮＡＫとすることができる。さらなる例として、インジケータは、１バイナリビットとすることができるが、請求する主題はそのように限定されないことを諒解されたい。
【００４２】
コードワード２０８の復号化ステータスは、少なくとも部分的に、インジケータ選択コンポーネント２２０を介して設定されたインジケータ（または複数のインジケータ）によって、ＵＥ２０４にシグナリングされ得る。一例によれば、コードワード２０８の復号化ステータスは、さらに、少なくとも部分的に、ＰＨＩＣＨを送るためにリソースマッピングコンポーネント２１８によって選択されたリソース要素によって、ＵＥ２０４にシグナリングされ得る。別の例として、コードワード２０８の復号化ステータスは、さらに、少なくとも部分的に、基地局２０２によって送信されたＰＤＣＣＨによって搬送される情報によって、ＵＥ２０４にシグナリングされ得る。
【００４３】
ＵＥ２０４は、復号化コンポーネント２２２とステータス検出コンポーネント２２４とをも含むことができる。復号化コンポーネント２２２は、基地局２０２によって送られたＰＨＩＣＨまたは複数のＰＨＩＣＨを復号化することができる。一例によれば、復号化コンポーネント２２２は、基地局２０２によって送信されたＰＤＣＣＨをも復号化することができる。復号化コンポーネント２２２によって生じた復号化結果に基づいて、ステータス検出コンポーネント２２４は、コードワード２０８の復号化ステータスを検出することができる。
【００４４】
図３〜図６に、アップリンクＭＩＭＯを採用するワイヤレス通信環境において、複数のコードワードの復号化ステータス３０２をＵＥ２０４に伝達する様々な例示的なシステムを示す。たとえば、ＵＥ２０４は、多重コードワードアップリンク送信の複数のコードワードを基地局２０２に送信することができる。さらに、基地局２０２は、ＵＥ２０４によって送られた複数のコードワードを受信することができる。さらに、基地局２０２（たとえば、図２の復号化コンポーネント２１４など）は、複数のコードワードを復号化しようと試みることができ、その複数のコードワードの復号化ステータス３０２を検出することができる。ステータスシグナリングコンポーネント２１６は、本明細書で説明する様々な手法を採用するＵＥ２０４に複数のコードワードの復号化ステータス３０２をシグナリングすることができる。たとえば、ステータスシグナリングコンポーネント２１６は、復号化ステータス３０２を伝達するために、リソースマッピングコンポーネント２１８および／またはインジケータ選択コンポーネント２２０を活用することができるが、請求する主題はそのように限定されないことを諒解されたい。さらに、ＵＥ２０４は、復号化コンポーネント２２２とステータス検出コンポーネント２２４とを採用することによって、基地局２０２によって送られた復号化ステータス３０２を識別することができる。
【００４５】
たとえば、ＵＥ２０４によって送られた多重コードワードアップリンク送信が２つのコードワードを含む場合、２つのコードワードにそれぞれ対応する２つの復号化ステータス３０２が基地局２０２によって認識され得る。図３〜図６に関係する以下の説明は、多重コードワードアップリンク送信が２つのコードワードを含むこの例に従う。ただし、多重コードワードアップリンク送信は異なる数のコードワードを含むことができることが企図されるので、請求する主題はそのように限定されないことを諒解されたい。
【００４６】
さらに、復号化ステータス３０２は、基地局２０２によってダウンリンク３０４を介してＵＥ２０４にシグナリングされ得る。たとえば、復号化ステータスは、ダウンリンク３０４上で１つまたは複数のサブフレーム中で伝達され得る。例として、サブフレームは、制御領域とデータ領域とを含むことができる。たとえば、制御領域は、一般に、システム帯域幅にわたって延びるサブフレームの最初の１つ、２つ、または３つのシンボル（たとえば、ＯＦＤＭシンボルなど）を含むことができる。さらに、データ領域は、システム帯域幅にわたって延びるサブフレームのシンボルの残りを含むことができる。
【００４７】
３つのタイプのダウンリンク制御チャネルは、基地局２０２によってサブフレームの制御領域からのリソース要素上で送信され得る。これらのタイプのダウンリンク制御チャネルは、物理制御フォーマットインジケータチャネル（ＰＣＦＩＣＨ）、ＰＨＩＣＨ、およびＰＤＣＣＨを含む。たとえば、ＰＣＦＩＣＨ、ＰＨＩＣＨ、およびＰＤＣＣＨは直交し得、したがって、ＰＣＦＩＣＨ、ＰＨＩＣＨ、およびＰＤＣＣＨのためにそれぞれ予約されたリソース要素は重複し得ない。
【００４８】
ＰＣＦＩＣＨは、（たとえば、サブフレーム中での制御チャネル情報の送信などに使用される）制御領域中に含まれるシンボルの数（たとえば、一般に、１つ、２つ、または３つなど）をシグナリングする制御フォーマットインジケータ（ＣＦＩ）を搬送することができる。ＰＣＦＩＣＨを搬送するリソース要素は、サブフレームの第１のシンボル中のシステム帯域幅にわたることができる。たとえば、１６個のリソース要素はＰＣＦＩＣＨを搬送することができ、１６個のリソース要素は４つのリソース要素グループ（ＲＥＧ）に対応することができる。ＰＣＦＩＣＨがマッピングされ得るリソース要素は、基地局２０２に対応するセル識別子（ＩＤ）の関数とすることができる。
【００４９】
ＰＨＩＣＨは、ＨＡＲＱ  ＡＣＫ／ＮＡＫインジケータを搬送するために利用され得る。たとえば、ＨＡＲＱ  ＡＣＫ／ＮＡＫインジケータは、本明細書でより詳細に説明するように基地局２０２がＰＵＳＣＨ送信を正しく受信したかどうかを知らせることができる。サブフレームの制御領域からの１つ、２つ、または３つのシンボルからのリソース要素は、ＰＨＩＣＨを搬送することができる（たとえば、ＰＨＩＣＨは制御領域などに限定され得る）。さらに、ＰＨＩＣＨを搬送するリソース要素は、システム帯域幅にわたることができる。たとえば、（たとえば、１つ、２つ、または３つのシンボルからの）１２個のリソース要素は、通常のサイクリックプレフィックス（ＣＰ）を採用するときにＰＨＩＣＨを搬送することができ、１２個のリソース要素は、３つのＲＥＧに対応することができるが、請求する主題は上記の例に限定されていない（たとえば、拡張ＣＰが活用され得ることが企図される）。
【００５０】
ＰＤＣＣＨは、ダウンリンク制御情報（ＤＣＩ）メッセージを搬送するために採用され得る。たとえば、複数のＰＤＣＣＨがサブフレーム中で送信され得る。サブフレームの制御領域中の１つ、２つ、または３つのシンボルは、（たとえば、ＰＣＦＩＣＨなどによってシグナリングされる）１つまたは複数のＰＤＣＣＨのために使用され得る。ＰＤＣＣＨは、１つまたは複数のＣＣＥとして構築され得、ＣＣＥは、４つのリソース要素の９つのセットに対応することができ、したがって、ＣＣＥは、３６個のリソース要素を含むことができる。たとえば、ＰＤＣＣＨが１つ、２つ、４つ、または８つのＣＣＥとして構築され得ることが企図されるが、請求する主題はそのように限定されない。４つのリソース要素のセットは、ＲＥＧと呼ばれることがある。ＲＥＧの４つのリソース要素は、シンボル中のリソースブロック以内とすることができる。さらに、リソースブロックは、シンボル中のリソースブロックが基準信号を搬送するか否かに応じて２つまたは３つのＲＥＧを含むことができる。
【００５１】
図３を参照すると、ワイヤレス通信環境において複数のＰＨＩＣＨを介してアップリンクＭＩＭＯを採用するＵＥ２０４によって送られた複数のコードワードの復号化ステータス３０２をシグナリングするシステム３００が示されている。ステータスシグナリングコンポーネント２１６は、復号化ステータス３０２を伝達するために異種ＰＨＩＣＨを採用することができる。たとえば、複数のコードワードの各々のそれぞれの復号化ステータスは、独立したＰＨＩＣＨを介して伝達され得るが、請求する主題はそのように限定されないことを諒解されたい。
【００５２】
たとえば、基地局２０２は、多重コードワードアップリンク送信の一部としてＵＥ２０４によって送られた２つのコードワード（たとえば、コードワード０およびコードワード１など）の復号化ステータス３０２を識別することができる。さらに、ステータスシグナリングコンポーネント２１６は、ダウンリンク３０４を介して復号化ステータス３０２を伝達するために２つのＰＨＩＣＨを採用することができる。たとえば、ステータスシグナリングコンポーネント２１６は、ＰＨＩＣＨ０  ３０６を介してコードワード０に対応する復号化ステータスをシグナリングし、ＰＨＩＣＨ１  ３０８を介してコードワード１に対応する復号化ステータスをシグナリングすることができる。
【００５３】
上記の例に従うと、インジケータ選択コンポーネント２２０は、コードワード０に対応する復号化ステータスに基づいてＰＨＩＣＨ０  ３０６によって搬送されるインジケータ０  ３１０を設定することができ、コードワード１に対応する復号化ステータスに基づいてＰＨＩＣＨ１  ３０８によって搬送されるインジケータ１  ３１２を設定することができる。インジケータ０  ３１０はＡＣＫまたはＮＡＫとすることができ、ＡＣＫまたはＮＡＫは、基地局２０２がコードワード０の復号化に成功したのか、復号化に失敗したのかを知らせることができる。同様に、インジケータ１  ３１２はＡＣＫまたはＮＡＫとすることができ、ＡＣＫまたはＮＡＫは、基地局２０２がコードワード１の復号化に成功したのか、復号化に失敗したのかを知らせることができる。
【００５４】
さらに、リソースマッピングコンポーネント２１８は、それぞれ、ＰＨＩＣＨ０  ３０６およびＰＨＩＣＨ１  ３０８を搬送するリソース要素を選定することができる。特定のＰＨＩＣＨを搬送するために使用されるリソース要素は、ＰＵＳＣＨ物理開始リソースブロック（ＲＢ）と対応するコードワードによって使用される復調基準信号（ＤＭＲＳ）とに応じて、リソースマッピングコンポーネント２１８によって選択され得る。上記の例によれば、リソースマッピングコンポーネント２１８は、ＰＵＳＣＨ物理開始ＲＢとコードワード０によって使用されるＤＭＲＳとに基づいて、ＰＨＩＣＨ０  ３０６を搬送するリソース要素を選定することができる。さらに、リソースマッピングコンポーネント２１８は、ＰＵＳＣＨ物理開始ＲＢとコードワード１によって使用されるＤＭＲＳとに基づいて、ＰＨＩＣＨ１  ３０８を搬送するリソース要素を選定することができる。
【００５５】
さらに、復号化コンポーネント２２２は、ＰＨＩＣＨ０  ３０６およびＰＨＩＣＨ１  ３０８によってそれぞれ搬送されるインジケータ０  ３１０およびインジケータ１  ３１２を識別するために、ＰＨＩＣＨ０  ３０６およびＰＨＩＣＨ１  ３０８を復号化することができる。さらに、ステータス検出コンポーネント２２４は、インジケータ０  ３１０およびインジケータ１  ３１２に基づいてそれぞれコードワード０およびコードワード１の復号化ステータスを導出することができる（たとえば、ステータス検出コンポーネント２２４は、インジケータ０  ３１０がＡＣＫである場合、基地局２０２がコードワード０の復号化に成功したことを検出し、インジケータ０  ３１０がＮＡＫである場合、基地局２０２がコードワード０の復号化に失敗したことを検出することができる、ステータス検出コンポーネント２２４は、インジケータ１  ３１２がＡＣＫである場合、基地局２０２がコードワード１の復号化に成功したことを検出し、インジケータ１  ３１２がＮＡＫである場合、基地局２０２がコードワード１の復号化に失敗したことを検出することができる、など）。ただし、請求する主題は上記の例に限定されないことを諒解されたい。
【００５６】
システム３００は、ＡＣＫまたはＮＡＫインジケータを搬送することができる対応する独立したＰＨＩＣＨを用いた多重コードワードアップリンク送信の一部として、ＵＥ  ２０４によって送られた各コードワードを供給することをサポートすることができる。さらに、所与のコードワードの独立したＰＨＩＣＨに対して選定されたリソース要素は、ＰＵＳＣＨ物理開始ＲＢと所与のコードワードによって使用されるＤＭＲＳとに応じて、リソースマッピングコンポーネント２１８によって割り当てられ得る。一例によれば、ＵＥ２０４によって送られたコードワードが２つ以上のレイヤにわたる場合、ＰＨＩＣＨは、リソースマッピングコンポーネント２１８によってこれらのレイヤのうちの１つ上のＤＭＲＳにマッピングされ得る。別の例として、システム３００に関して説明した複数のＰＨＩＣＨの利用は、ＵＥ２０４（たとえば、図２のレイヤマッピングコンポーネント２１０など）がレイヤシフトを使用するか、またはレイヤシフトの使用を差し控えるときに実装され得る。
【００５７】
次に図４を参照すると、ワイヤレス通信環境において単一のＰＨＩＣＨを介してアップリンクＭＩＭＯを採用するＵＥ２０４によって送られた複数のコードワードの復号化ステータス３０２をシグナリングするシステム４００が示されている。ステータスシグナリングコンポーネント２１６は、復号化ステータス３０２を伝達するために単一のＰＨＩＣＨを利用することができる。復号化ステータス３０２は、ステータスシグナリングコンポーネント２１６によって複数のコードワードについてダウンリンク３０４を介してＵＥ２０４に送られる共通送信（たとえば、ＰＨＩＣＨ４０２など）中でシグナリングされ得る。より詳細には、ＰＨＩＣＨ４０２によって搬送されるインジケータ４０４と、ＰＨＩＣＨ４０２がマッピングされるリソース要素４０６とは、共通送信中で複数のコードワードの復号化ステータス３０２を伝達することができる。
【００５８】
たとえば、基地局２０２は、多重コードワードアップリンク送信の一部としてＵＥ２０４によって送られた２つのコードワード（たとえば、コードワード０およびコードワード１など）の復号化ステータス３０２を示すことができる。さらに、ステータスシグナリングコンポーネント２１６は、共通送信中でダウンリンク３０４を介して２つのコードワードの復号化ステータス３０２を伝達するためにＰＨＩＣＨ４０２を採用することができる。さらに、リソースマッピングコンポーネント２１８は、ＰＨＩＣＨ４０２が基地局２０２によってダウンリンク３０４を介して送られるリソース要素４０６を選択することができ、インジケータ選択コンポーネント２２０は、２つのコードワードの復号化ステータス３０２をシグナリングするために、ＰＨＩＣＨ４０２によって搬送されるインジケータ４０４を制御することができる。
【００５９】
リソースマッピングコンポーネント２１８は、ＰＵＳＣＨ物理開始ＲＢおよびＤＭＲＳに応じて、ＰＨＩＣＨ４０２をリソース要素４０６にマッピングすることができる。たとえば、リソースマッピングコンポーネント２１８によって利用されるＤＭＲＳは、２つのコードワード（たとえば、コードワード０のために使用されるＤＭＲＳまたはコードワード１のために使用されるＤＭＲＳなど）のうちの１つのために使用されるＤＭＲＳとすることができる。さらなる例として、コードワードが複数のレイヤにわたる場合、リソースマッピングコンポーネント２１８によって採用されるＤＭＲＳは、レイヤのうちの１つのために使用されるＤＭＲＳとすることができる。
【００６０】
インジケータ４０４およびリソース要素４０６の組合せは、ＵＥ２０４に復号化ステータス３０２を伝達することができる。したがって、リソースマッピングコンポーネント２１８は、（たとえば、図２の復号化コンポーネント２１４によって生じた）複数のコードワードの復号化結果に基づいてＰＨＩＣＨ４０２が送られるリソース要素４０６を選択することができる。たとえば、複数のコードワードの各々は、ＰＨＩＣＨに対して一意のリソースマッピングを有することができ、リソースマッピングは、そのコードワードのために使用されるＤＭＲＳのインデックス（または複数のコードワードのためのＤＭＲＳのインデックス）にリンクされ得る。さらに、リソースマッピングコンポーネント２１８は、複数のコードワードに関連する可能なリソースマッピングのセットから（たとえば、リソース要素４０６などに対応する）特定のリソースマッピングを選定することができる。
【００６１】
一例によれば、ＵＥ２０４は、レイヤ０にマッピングされたコードワード０とレイヤ１にマッピングされたコードワード１とを含む多重コードワードアップリンク送信を送ることができる。コードワード０は、第１のＤＭＲＳ（たとえば、ＤＭＲＳ  ０など）に関連付けられ得、コードワード１は、第２のＤＭＲＳ（たとえば、ＤＭＲＳ  １など）に関連付けられ得る。第１のＤＭＲＳのインデックスは第１のリソースマッピングにリンクされ得、第２のＤＭＲＳのインデックスは第２のリソースマッピングにリンクされ得る。コードワード０およびコードワード１の復号化ステータス３０２に応じて、リソースマッピングコンポーネント２１８は、ＰＨＩＣＨ４０２のために使用されるリソース要素４０６を識別するために、第１のリソースマッピングまたは第２のリソースマッピングのいずれかを選択することができる。さらに、コードワード０およびコードワード１の復号化ステータス３０２に基づいて、インジケータ選択コンポーネント２２０は、ＰＨＩＣＨ４０２のインジケータ４０４を制御することができる。
【００６２】
上記の例に従うと、４つの可能な状態のうちの１つは、インジケータ４０４およびリソース要素４０６を介してコードワード０およびコードワード１の復号化ステータス３０２をＵＥ２０４に伝達するために利用され得る。以下に、復号化ステータス３０２と４つの可能な状態との間の潜在的なリンクの例を与える。たとえば、インジケータ４０４は、インジケータ選択コンポーネント２２０によってＡＣＫとして設定され得、コードワード０に関連する第１のリソースマッピングに対応するリソース要素４０６は、コードワード０およびコードワード１の両方の復号化に成功したことをシグナリングするために、リソースマッピングコンポーネント２１８によって選択され得る。さらに、インジケータ４０４は、インジケータ選択コンポーネント２２０によってＮＡＫとして設定され得、コードワード０に関連する第１のリソースマッピングに対応するリソース要素４０６は、コードワード０の復号化に失敗しコードワード１の復号化に成功したことをシグナリングするために、リソースマッピングコンポーネント２１８によって選択され得る。さらに、インジケータ４０４は、インジケータ選択コンポーネント２２０によってＡＣＫとして設定され得、コードワード１に関連する第２のリソースマッピングに対応するリソース要素４０６は、コードワード０の復号化に成功しコードワード１の復号化に失敗したことをシグナリングするために、リソースマッピングコンポーネント２１８によって選択され得る。さらに、インジケータ４０４は、インジケータ選択コンポーネント２２０によってＮＡＫとして設定され得、コードワード１に関連する第２のリソースマッピングに対応するリソース要素４０６は、コードワード０およびコードワード１の両方の復号化に失敗したことをシグナリングするために、リソースマッピングコンポーネント２１８によって選択され得る。ただし、請求する主題は上記の例に限定されないことを諒解されたい。
【００６３】
さらに、ＵＥ２０４の復号化コンポーネント２２２は、複数のリソース要素仮定に基づいて複数のロケーションにおいてＰＨＩＣＨ４０２を復号化しようと試みることができる。たとえば、復号化コンポーネント２２２は、第１のリソースマッピングおよび第２のリソースマッピングに対応するリソース要素においてＰＨＩＣＨ４０２を復号化しようと試みることができる。さらに、ステータス検出コンポーネント２２４は、複数のリソース要素仮定を使用するＰＨＩＣＨ４０２の復号化結果に基づいて、複数のコードワード（またはそのサブセット）の復号化ステータス３０２を導出することができる。
【００６４】
一例によれば、復号化コンポーネント２２２は、第１のリソースマッピングに対応するリソース要素において、および第２のリソースマッピングに対応するリソース要素においてＰＨＩＣＨ４０２を復号化しようと試みることができる。ステータス検出コンポーネント２２４は、第１のリソースマッピングに対応するリソース要素においてＰＨＩＣＨ４０２の復号化に成功したのか、または第２のリソースマッピングに対応するリソース要素においてＰＨＩＣＨ４０２の復号化に成功したのかを認識することができる。さらに、ステータス検出コンポーネント２２４は、インジケータ４０４がＡＣＫを搬送するのか、ＮＡＫを搬送するのかを識別することができる。ＰＨＩＣＨ４０２の復号化に成功したリソース要素と、インジケータ４０４がＡＣＫを指定するのかＮＡＫを指定するのかとに基づいて、ステータス検出コンポーネント２２４は、複数のコードワードの復号化ステータス３０２を検出することができる。
【００６５】
システム４００は、多重コードワードアップリンク送信の一部としてＵＥ２０４によって送られる複数のコードワードの復号化ステータス３０２をシグナリングするために、単一のＰＨＩＣＨ（たとえば、ＰＨＩＣＨ４０２など）を伝達することをサポートすることができる。ステータスシグナリングコンポーネント２１６は、複数のコードワードのＰＨＩＣＨ４０２を送ることができるが、複数のコードワードの復号化ステータス３０２は、異なるＰＨＩＣＨロケーションを使用することを通して伝達され得、これらのＰＨＩＣＨロケーションは、複数のコードワードの各々のＤＭＲＳのインデックス（あるいは複数のコードワードのうちの１つ、一部または全部のＤＭＲＳのインデックス）にリンクされ得る。別の例として、システム４００に関して説明した単一のＰＨＩＣＨ（たとえば、ＰＨＩＣＨ４０２など）の利用は、ＵＥ２０４（たとえば、図２のレイヤマッピングコンポーネント２１０など）がレイヤシフトを使用するか、またはレイヤシフトの使用を差し控えるときに実装され得る。
【００６６】
図５を参照すると、ワイヤレス通信環境において単一のＰＨＩＣＨを介してアップリンクＭＩＭＯを採用するＵＥ２０４によって送られた複数のコードワードの復号化ステータス３０２をシグナリングするシステム５００が示されている。復号化ステータス３０２は、ステータスシグナリングコンポーネント２１６によって複数のコードワードについてダウンリンク３０４を介してＵＥ２０４に送られる単一のＰＨＩＣＨ（たとえば、ＰＨＩＣＨ５０２など）中でシグナリングされ得る。追加または代替として、復号化ステータス３０２は、ＰＤＣＣＨ５０４によってシグナリングされ得る。ステータスシグナリングコンポーネント２１６は、本明細書で説明するように、リソースマッピングコンポーネント２１８とインジケータ選択コンポーネント２２０とを含むことができる。たとえば、リソースマッピングコンポーネント２１８は、ＰＨＩＣＨ５０２を搬送するための固定ロケーション（たとえば、固定リソース要素など）を採用することができる。さらに、ステータスシグナリングコンポーネント２１６は、バンドリングコンポーネント５０６と許可生成コンポーネント５０８とを含むことができる。
【００６７】
バンドリングコンポーネント５０６は、複数のコードワードの復号化ステータス３０２を組み合わせることができる。さらに、インジケータ選択コンポーネント２２０は、組み合わされた復号化ステータス３０２に基づいてＰＨＩＣＨ５０２によって搬送されるバンドルインジケータ５１０を管理することができる。例として、コードワード０およびコードワード１の両方の復号化に成功した場合（たとえば、両方がＣＲＣをパスした場合など）、コードワード０およびコードワード１の復号化ステータス３０２は、バンドリングコンポーネント５０６によって（たとえば、復号化に成功したことを示すなどのために）合成され得、インジケータ選択コンポーネント２２０は、ＡＣＫを指定するようにバンドルインジケータ５１０を設定することができる。さらに別の例として、コードワード０またはコードワード１のいずれかの復号化に失敗した場合、あるいはコードワード０およびコードワード１の両方の復号化に成功した場合（たとえば、少なくとも１つのコードワードがＣＲＣに失敗した場合など）、コードワード０およびコードワード１の復号化ステータス３０２は、バンドリングコンポーネント５０６によって（たとえば、復号化に失敗したことを示すなどのために）合成され得、インジケータ選択コンポーネント２２０は、ＮＡＫを示すようにバンドルインジケータ５１０を設定することができる。
【００６８】
あるコードワードの復号化に成功し、別のコードワードの復号化に失敗したとき（または両方のコードワードの復号化に失敗した場合）バンドルインジケータ５１０はＮＡＫを指定することができるので、バンドルインジケータ５１０を用いてダウンリンク３０４を介して単一のＰＨＩＣＨ（たとえば、ＰＨＩＣＨ５０２など）を送ることはあいまいさをもたらすことがある。したがって、ＮＡＫを指定するバンドルインジケータ５１０を送信することに加えて、またはその代わりに、許可生成コンポーネント５０８は、ダウンリンク３０４を介してＰＤＣＣＨ５０４をＵＥ２０４に送ることができ、ＰＤＣＣＨ５０４は、アップリンク許可に関係する情報を含むことができる。たとえば、許可生成コンポーネント５０８は、再送信の最大数に達していない場合、再送信または新しい送信のために、アップリンク許可に関係する情報を含むＰＤＣＣＨ５０４をＵＥ２０４に送信することができる。
【００６９】
ＰＤＣＣＨ５０４は、ＰＨＩＣＨ５０２に比較してより大きいペイロードを有することができる。たとえば、ＰＤＣＣＨ５０４のペイロードは４０〜５０ビットを含むことができ、一方、ＰＨＩＣＨ５０２のペイロードは１〜２ビットを含むことができるが、様々なペイロードサイズが本明細書に添付の特許請求の範囲内に入るものとすることを諒解されたい。したがって、ＰＤＣＣＨ５０４は、復号化ステータス３０２に関係する情報をＵＥ２０４に伝達するための容量を有することができる。
【００７０】
許可生成コンポーネント５０８によって生じるＰＤＣＣＨ５０４の様々なフォーマットは、基地局２０２がアップリンク許可をＵＥ２０４に送るとき、本明細書に添付の特許請求の範囲内に入るものとする。一例によれば、許可生成コンポーネント５０８は、各コードワードの完全または部分的な復号化ステータス３０２を示すために、ＰＤＣＣＨ５０４において特殊なビットパターンを使用することができる。別の例によれば、許可生成コンポーネント５０８は、各コードワードの完全または部分的な復号化ステータス３０２を示すために、異なるＰＤＣＣＨフォーマットおよび／または特殊なビットパターンを使用することができる。さらに別の例として、許可生成コンポーネント５０８は、各コードワードの完全または部分的な復号化ステータス３０２を示すために、異なるＰＤＣＣＨフォーマットおよび／または特殊なビットパターンおよび／またはＰＨＩＣＨ符号化を使用することができる。
【００７１】
一例によれば、許可生成コンポーネント５０８は、完全なＰＤＣＣＨフォーマットまたはコンパクトなＰＤＣＣＨフォーマットを使用することができる。この例に従うと、完全なＰＤＣＣＨフォーマットは、各コードワードとそのコードワードの対応する復号化ステータスとを識別する情報を搬送するために利用され得る。したがって、ＰＤＣＣＨ５０４は、完全なＰＤＣＣＨフォーマットが許可生成コンポーネント５０８によって利用されるとき、コードワード０を識別し、コードワード０の復号化に成功したのか失敗したのかを識別する情報と、コードワード１を識別し、コードワード１の復号化に成功したのか失敗したのかを識別する情報とを含むことができる。対照的に、コンパクトなＰＤＣＣＨフォーマットは、１つのコードワードとその１つのコードワードの対応する復号化ステータスとを識別する情報を搬送するために採用され得る。したがって、ＰＤＣＣＨ５０４は、コンパクトなＰＤＣＣＨフォーマットが許可生成コンポーネント５０８によって利用されるとき、コードワード０を識別し、コードワード０の復号化に成功したのか失敗したのかを識別する情報と、コードワード１を識別し、コードワード１の復号化に成功したのか失敗したのかを識別する情報とを含むことができる。さらに、コンパクトなＰＤＣＣＨフォーマットが採用されるときにＰＤＣＣＨ５０４中に含まれる情報によって識別されないコードワードは、復号化に成功したと仮定され得るが、そのようなコードワードについて任意の他の仮定が行われ得ることを諒解されたい（たとえば、復号化に失敗したと仮定される、コンパクトなＰＤＣＣＨフォーマットが採用されるとき、ＰＤＣＣＨ５０４中の情報によって識別されるコードワードの復号化ステータスに比較して同じまたは異なる復号化ステータスを有すると仮定されるなど）。
【００７２】
例として、異なるＰＤＣＣＨフォーマットは、以下のようにして許可生成コンポーネント５０８によって利用され得る。たとえば、許可生成コンポーネント５０８は、最初に、コードワード０およびコードワード１の情報を含む完全なＰＤＣＣＨフォーマットを採用することができる。２つのコードワードのうちの１つの復号化に成功したが、２つのコードワードのうちの他方の復号化に失敗した場合、許可生成コンポーネント５０８は、コンパクトなＰＤＣＣＨフォーマットを採用することにシフトすることができる。したがって、コンパクトなＰＤＣＣＨフォーマットは、コードワードのうちの１つを識別し、ならびに識別されたコードワードの復号化に失敗したことを示す情報を含むＰＤＣＣＨ５０４を生じるために採用され得る（たとえば、コンパクトなＰＤＣＣＨフォーマットを用いるＰＤＣＣＨ５０４は、コードワード０を識別し、コードワード０の復号化に失敗したことを指定する情報を含むことができる、コンパクトなＰＤＣＣＨフォーマットを用いるＰＤＣＣＨ５０４は、コードワード１を識別し、コードワード１の復号化に失敗したことを指定する情報を含むことができる、．．．）。
【００７３】
別の例として、許可生成コンポーネント５０８によって生じるＰＤＣＣＨ５０４は、所与のコードワードの復号化ステータスを指定する情報を必ずしも含まない。むしろ、この例に従うと、ＰＤＣＣＨ５０４は、コードワードを識別する情報を含むことができ、コードワードの復号化ステータスは、ＰＨＩＣＨ５０２によって搬送されるバンドルインジケータ５１０によって示され得る。一例によれば、インジケータ選択コンポーネント２２０によって生じるバンドルインジケータ５１０はＮＡＫを示すことができ、一方、許可生成コンポーネント５０８によって生成されるＰＤＣＣＨ５０４は、コードワード（たとえば、コードワード０またはコードワード１など）を識別する情報を含むことができ、したがって、ＰＤＣＣＨ５０４によって与えられる情報によって識別されるコードワードは、復号化に失敗したとしてステータス検出コンポーネント２２４によって認識され得る。しかしながら、ＰＨＩＣＨ５０２は、ＰＤＣＣＨ５０４によって与えられる情報によって識別されるコードワードの復号化ステータスを必ずしも伝達しないことがさらに企図される。むしろ、ＰＤＣＣＨ５０４によって与えられる情報によって識別されるコードワードの復号化ステータス（たとえば、復号化の失敗など）が仮定され得る。さらに、請求する主題はそのように限定されないことを諒解されたい。
【００７４】
さらなる一例によれば、許可生成コンポーネント５０８は、トランスポートブロック（ＴＢ）コードワードスワップを適用するようにＵＥ２０４に示す情報をＰＤＣＣＨ５０４中に含めることができる。たとえば、トランスポートブロック０はコードワード０に最初にマッピングされ得、トランスポートブロック１はコードワード１に最初にマッピングされ得る。トランスポートブロックコードワードスワップを引き起こす情報を含むＰＤＣＣＨ５０４の受信後に、ＵＥ２０４による再送信または新しい送信のために、トランスポートブロック０はコードワード１にマッピングされ得、トランスポートブロック１はコードワード０にマッピングされ得る。ただし、請求する主題は上記に限定されないことを諒解されたい。
【００７５】
さらに、ＵＥ２０４の復号化コンポーネント２２２は、ＰＨＩＣＨ５０２および／またはＰＤＣＣＨ５０４を復号化することができる。さらに、ステータス検出コンポーネント２２４は、ＰＨＩＣＨ５０２および／またはＰＤＣＣＨ５０４の復号化結果に基づいて、複数のコードワード（またはそのサブセット）の復号化ステータス３０２を導出することができる。一例によれば、システム５００に関する単一のＰＨＩＣＨ（たとえば、ＰＨＩＣＨ５０２など）の利用は、ＵＥ２０４（たとえば、図２のレイヤマッピングコンポーネント２１０など）がレイヤシフトを使用するときに実装され得るが、請求する主題はそのように限定されないことを諒解されたい。
【００７６】
図６を参照すると、ワイヤレス通信環境において複数のＰＨＩＣＨを介してアップリンクＭＩＭＯを採用するＵＥ２０４によって送られた複数のコードワードの復号化ステータス３０２をシグナリングするシステム６００が示されている。復号化ステータス３０２は、ステータスシグナリングコンポーネント２１６によって複数のコードワードについて複数のＰＨＩＣＨ中でシグナリングされ得る。たとえば、複数のＰＨＩＣＨの各々は、複数のコードワードから意図されたコードワードに関連付けられ得る。したがって、たとえば、ＰＨＩＣＨ６０２は、コードワード０またはコードワード１に関連付けられ得る。ステータスシグナリングコンポーネント２１６は、リソースマッピングコンポーネント２１８と、インジケータ選択コンポーネント２２０と、許可生成コンポーネント５０８とを含むことができる。
【００７７】
一例によれば、（たとえば、複数のコードワードから）所与のコードワードの復号化に失敗した場合、再送信または新しい送信が実施され得る。したがって、ステータスシグナリングコンポーネント２１６によって生じ、ダウンリンク３０４を介して送られるＰＨＩＣＨ６０２は、ＮＡＫを示すインジケータを搬送することができる。さらに、ＰＨＩＣＨ６０２によって与えられたＮＡＫは、意図されたコードワード（たとえば、所与のコードワードなど）に適用され得る。追加または代替として、許可生成コンポーネント５０８は、ダウンリンク３０４を介してＰＤＣＣＨ５０４をＵＥ２０４に送ることができ、ＰＤＣＣＨ５０４は、アップリンク許可に関係する情報を含むことができる。たとえば、許可生成コンポーネント５０８は、再送信の最大数に達していない場合、再送信または新しい送信のために、アップリンク許可に関係する情報を含むＰＤＣＣＨ５０４をＵＥ２０４に送信することができる。
【００７８】
図５に関する上記の説明と同様に、許可生成コンポーネント５０８によって生じるＰＤＣＣＨ５０４の様々なフォーマットは、基地局２０２がアップリンク許可をＵＥ２０４に送るとき、本明細書に添付の特許請求の範囲内に入るものとする。一例によれば、許可生成コンポーネント５０８は、各コードワードの完全または部分的な復号化ステータス３０２を示すために、ＰＤＣＣＨ５０４において特殊なビットパターンを使用することができる。別の例によれば、許可生成コンポーネント５０８は、各コードワードの完全または部分的な復号化ステータス３０２を示すために、異なるＰＤＣＣＨフォーマットおよび／または特殊なビットパターンを使用することができる。さらに別の例として、許可生成コンポーネント５０８は、各コードワードの完全または部分的な復号化ステータス３０２を示すために、異なるＰＤＣＣＨフォーマットおよび／または特殊なビットパターンおよび／またはＰＨＩＣＨ符号化を使用することができる。
【００７９】
システム６００は、ダウンリンク３０４を介して複数のＰＨＩＣＨ（たとえば、ＰＨＩＣＨ６０２、（１つまたは複数の）異種ＰＨＩＣＨ（図示せず）など）を送ることをサポートすることができる。図３に関係する説明と同様に、複数のコードワードの各々のそれぞれの復号化ステータスは、独立したＰＨＩＣＨを介して伝達され得るが、請求する主題はそのように限定されないことを諒解されたい。追加または代替として、本明細書で説明する、情報を搬送するＰＤＣＣＨ５０４は、ダウンリンク３０４を介して送られ得る。一例によれば、システム６００に関する複数のＰＨＩＣＨ（たとえば、ＰＨＩＣＨ６０２など）の利用は、ＵＥ２０４（たとえば、図２のレイヤマッピングコンポーネント２１０など）がレイヤシフトを使用を差し控えるときに実装され得るが、請求する主題はそのように限定されないことを諒解されたい。
【００８０】
図７〜図８を参照すると、ワイヤレス通信環境においてアップリンクＭＩＭＯ送信の一部として送られる複数のコードワードの復号化ステータスを伝達することに関係する方法が示されている。説明を簡単にするために、方法を一連の行為として図示し説明するが、いくつかの行為は、１つまたは複数の実施形態によれば、本明細書で図示し説明する順序とは異なる順序で、および／または他の行為と同時に行われることができるので、方法は行為の順序によって限定されないことを理解し、諒解されたい。たとえば、方法は、状態図など、一連の相互に関連する状態または事象として代替的に表現できることを当業者ならば理解し、諒解するであろう。さらに、１つまたは複数の実施形態による方法を実装するために、図示のすべての行為が必要とされるわけではない。
【００８１】
図７を参照すると、ワイヤレス通信環境において復号化ステータスを伝達することを可能にする方法７００が示されている。７０２において、ユーザ機器（ＵＥ）から多重コードワードアップリンク送信の複数のコードワードを受信する。たとえば、複数のコードワードは、ＵＥから受信したアップリンク多入力多出力（ＭＩＭＯ）送信中に含まれ得る。一例によれば、多重コードワードアップリンク送信は、２つのコードワードを含むことができるが、請求する主題はそのように限定されないことを諒解されたい。７０４において、複数のコードワードを復号化する試みを実施する。７０６において、複数のコードワードの復号化ステータスを識別する。たとえば、第１のコードワードの第１の復号化ステータスおよび第２のコードワードの第２の復号化ステータスが識別され得る。たとえば、コードワードの復号化ステータスは、コードワードの復号化に成功したということ、またはコードワードの復号化に失敗したということとすることができる。さらに、コードワードの復号化ステータスは、コードワードが巡回冗長検査（ＣＲＣ）をパスしたのか、失敗したのかに基づいて識別され得る。
【００８２】
７０８において、複数のコードワードの復号化ステータスをＵＥにシグナリングする。一例によれば、複数のコードワードの復号化ステータスは、複数のＰＨＩＣＨを送ることによってＵＥにシグナリングされ得る。この例に従うと、複数のコードワードからの第１のコードワードの第１の復号化ステータスは、複数のＰＨＩＣＨからの第１のＰＨＩＣＨを介して伝達され得、複数のコードワードからの第２のコードワードの第２の復号化ステータスは、複数のＰＨＩＣＨからの第２のＰＨＩＣＨを介して伝達され得る。
【００８３】
別の例として、複数のコードワードの復号化ステータスは、単一のＰＨＩＣＨを送ることによってＵＥにシグナリングされ得る。この例によれば、単一のＰＨＩＣＨがマッピングされるリソース要素は、複数のコードワードの復号化ステータスに基づいて選択され得る。さらに、単一のＰＨＩＣＨによって搬送されるインジケータと単一のＰＨＩＣＨがマッピングされるリソース要素とは、複数のコードワードの復号化ステータスを伝達することができる。
【００８４】
またさらなる一例によれば、複数のコードワードの復号化ステータスは、少なくとも部分的にＰＤＣＣＨを送ることによってＵＥにシグナリングされ得る。たとえば、ＰＤＣＣＨは、（たとえば、完全なＰＤＣＣＨフォーマットが採用されるときなどに）第１のコードワードに対応する第１の復号化ステータスと、第２のコードワードに対応する第２の復号化ステータスとを識別する情報を搬送することができる。別の例によれば、ＰＤＣＣＨは、複数のコードワードから特定のコードワードを指定する情報を搬送することができる。この例に従うと、ＰＤＣＣＨによって搬送される情報によって指定された特定のコードワードの復号化ステータスは、ＰＨＩＣＨによって搬送されるインジケータによって伝達され得る。代替的に、ＰＤＣＣＨによって搬送される情報によって指定された特定のコードワードの復号化ステータスはあらかじめ決定され得る（たとえば、復号化に成功したと仮定され得る、復号化に失敗したと仮定され得るなど）。さらに、複数のコードワードからＰＤＣＣＨによって搬送される情報によって指定された特定のコードワード以外のコードワードの復号化ステータスはあらかじめ決定され得る（たとえば、復号化に成功したと仮定され得る、復号化に失敗したと仮定され得る、ＰＨＩＣＨによって搬送されるインジケータによって伝達される、特定のコードワードの復号化ステータスに比較して同じまたは異なると仮定され得るなど）。別の例として、ＰＤＣＣＨは、トランスポートブロックコードワードスワップを適用するようにＵＥに示す情報を搬送することができる。
【００８５】
次に図８を参照すると、ワイヤレス通信環境において復号化ステータスを取得することを可能にする方法８００が示されている。８０２において、アップリンク多入力多出力（ＭＩＭＯ）送信の一部として複数のコードワードを基地局に送る。８０４において、基地局から伝達された複数のコードワードの復号化ステータスを検出する。復号化ステータスに基づいて、複数のコードワードのうちの１つまたは複数の再送信または新しい送信が選択的に実行され得る。
【００８６】
たとえば、複数のコードワードの復号化ステータスは、複数のＰＨＩＣＨから検出され得る。この例に従うと、複数のコードワードからの第１のコードワードの復号化ステータスは、複数のＰＨＩＣＨからの第１のＰＨＩＣＨから検出され得、複数のコードワードからの第２のコードワードの復号化ステータスは、複数のＰＨＩＣＨからの第２のＰＨＩＣＨから検出され得る。
【００８７】
さらなる一例によれば、複数のコードワードの復号化ステータスは、単一のＰＨＩＣＨから検出され得る。この例によれば、ＵＥは、複数のリソース要素ロケーションにおいて単一のＰＨＩＣＨを復号化しようと試みることができる。さらに、復号化ステータスは、複数のリソース要素ロケーションにおける復号化結果と、単一のＰＨＩＣＨによって搬送されるインジケータとに応じて導出され得る。
【００８８】
別の例によれば、複数のコードワードの復号化ステータスは、少なくとも部分的にＰＤＣＣＨから検出され得る。たとえば、ＰＤＣＣＨは、（たとえば、完全なＰＤＣＣＨフォーマットが採用されるときなどに）第１のコードワードに対応する第１の復号化ステータスと、第２のコードワードに対応する第２の復号化ステータスとを識別する情報を搬送することができる。別の例によれば、ＰＤＣＣＨは、複数のコードワードから特定のコードワードを指定する情報を搬送することができる。この例に従うと、ＰＤＣＣＨによって搬送される情報によって指定された特定のコードワードの復号化ステータスは、ＰＨＩＣＨによって搬送されるインジケータによって認識され得る。代替的に、ＰＤＣＣＨによって搬送される情報によって指定された特定のコードワードの復号化ステータスはあらかじめ決定され得る（たとえば、復号化に成功したと仮定され得る、復号化に失敗したと仮定され得るなど）。さらに、複数のコードワードからＰＤＣＣＨによって搬送される情報によって指定された特定のコードワード以外のコードワードの復号化ステータスはあらかじめ決定され得る（たとえば、復号化に成功したと仮定され得る、復号化に失敗したと仮定され得る、ＰＨＩＣＨによって搬送されるインジケータによって伝達される、特定のコードワードの復号化ステータスに比較して同じまたは異なると仮定され得るなど）。別の例として、ＰＤＣＣＨは、トランスポートブロックコードワードスワップを適用するようにＵＥに示す情報を搬送することができる。
【００８９】
本明細書で説明する１つまたは複数の態様によれば、ワイヤレス通信環境において復号化ステータスを伝達することに関係する推論が行われ得ることを諒解されたい。本明細書で使用する「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたはアクションを識別するために使用され得、あるいは、たとえば、状態の確率分布を生成することができる。推論は、確率的、すなわち、データおよびイベントの考察に基づく当該の状態の確率分布の計算とすることができる。推論は、イベントおよび／またはデータのセットからより高いレベルのイベントを構成するために採用される技法を指すこともある。そのような推論から、イベントが時間的に近接して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【００９０】
図９を参照すると、ワイヤレス通信環境において復号化ステータスを伝達することを可能にするシステム９００が示されている。たとえば、システム９００は、少なくとも部分的に基地局内に常駐することができる。システム９００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム９００は、連携して動作することができる電気コンポーネントの論理グルーピング９０２を含む。たとえば、論理グルーピング９０２は、ユーザ機器（ＵＥ）から多重コードワードアップリンク送信の複数のコードワードを受信するための電気コンポーネント９０４を含むことができる。さらに、論理グルーピング９０２は、複数のコードワードの復号化ステータスを識別するための電気コンポーネント９０６を含むことができる。さらに、論理グルーピング９０２は、複数のコードワードの復号化ステータスをＵＥにシグナリングするための電気コンポーネント９０８を含むことができる。論理グルーピング９０２はまた、複数のコードワードの復号化ステータスを伝達する単一のＰＨＩＣＨをＵＥに送るための電気コンポーネント９１０を随意に含むことができる。さらに、論理グルーピング９０２は、複数のコードワードの復号化ステータスを伝達する複数のＰＨＩＣＨをＵＥに送るための電気コンポーネント９１２を随意に含むことができる。論理グルーピング９０２はまた、複数のコードワードの復号化ステータスの少なくとも一部分を伝達するＰＤＣＣＨをＵＥに送るための電気コンポーネント９１４を随意に含むことができる。さらに、システム９００は、電気コンポーネント９０４、９０６、９０８、９１０、９１２、および９１４に関連する機能を実行するための命令を保持するメモリ９１６を含むことができる。メモリ９１６の外部にあるものとして示されているが、電気コンポーネント９０４、９０６、９０８、９１０、９１２、および９１４のうちの１つまたは複数はメモリ９１６の内部に存在することができることを理解されたい。
【００９１】
図１０を参照すると、ワイヤレス通信環境において復号化ステータスを取得することを可能にするシステム１０００が示されている。たとえば、システム１０００は、ＵＥ内に常駐することができる。システム１０００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。システム１０００は、連携して動作することができる電気コンポーネントの論理グルーピング１００２を含む。たとえば、論理グルーピング１００２は、アップリンク多入力多出力（ＭＩＭＯ）送信の一部として複数のコードワードを基地局に送るための電気コンポーネント１００４を含むことができる。さらに、論理グルーピング１００２は、基地局から伝達された複数のコードワードの復号化ステータスを検出するための電気コンポーネント１００６を含むことができる。論理グルーピング１００２はまた、基地局から復号化ステータスを伝達する単一のＰＨＩＣＨを受信するための電気コンポーネント１００８を随意に含むことができる。さらに、論理グルーピング１００２は、基地局から復号化ステータスを伝達する複数のＰＨＩＣＨを受信するための電気コンポーネント１０１０を随意に含むことができる。論理グルーピング１００２はまた、基地局から復号化ステータスの少なくとも一部分を伝達するＰＤＣＣＨを受信するための電気コンポーネント１０１２を随意に含むことができる。さらに、システム１０００は、電気コンポーネント１００４、１００６、１００８、１０１０、および１０１２に関連する機能を実行するための命令を保持するメモリ１０１４を含むことができる。メモリ１０１４の外部にあるものとして図示されているが、１つまたは複数の電気コンポーネント１００４、１００６、１００８、１０１０、および１０１２はメモリ１０１４の内部に存在することができることを理解されたい。
【００９２】
図１１は、本明細書で説明する機能の様々な態様を実装するために利用され得るシステム１１００の図である。システム１１００は、基地局１１０２（たとえば、基地局２０２、．．．）を含むことができる。基地局１１０２は、１つまたは複数の受信（Ｒｘ）アンテナ１１０６を介して１つまたは複数のＵＥ１１０４から（１つまたは複数の）信号を受信し、１つまたは複数の送信（Ｔｘ）アンテナ１１０８を介して１つまたは複数のＵＥ１１０４にその信号を送信することができる。さらに、基地局１１０２は、（１つまたは複数の）受信アンテナ１１０６から情報を受信する受信機１１１０を含むことができる。一例によれば、受信機１１１０は、受信した情報を復調する復調器（ｄｅｍｏｄ）１１１２に動作可能に結合され得る。復調されたシンボルは、プロセッサ１１１４によって分析され得る。プロセッサ１１１４は、（１つまたは複数の）ＵＥ１１０４に送信すべきデータまたはそこから受信すべきデータ、および／あるいは本明細書に記載する様々な動作および機能を実行することに関係する任意の他の適切なプロトコル、アルゴリズム、情報などを記憶することができるメモリ１１１６に結合され得る。たとえば、基地局１１０２は、方法７００ならびに／または他の同様のおよび適切な方法を実行するために、プロセッサ１１１４を採用することができる。基地局１１０２はさらに、送信機１１２０によって（１つまたは複数の）アンテナ１１０８を介して送信するために信号を多重化することができる変調器１１１８を含むことができる。
【００９３】
プロセッサ１１１４は、受信機１１１０によって受信された情報を分析することに専用のプロセッサ、送信機１１２０によって送信するための情報を生成することに専用のプロセッサ、または基地局１１０２の１つまたは複数のコンポーネントを制御することに専用のプロセッサとすることができる。別の例によれば、プロセッサ１１１４は、受信機１１１０によって受信された情報を分析することと、送信機１１２０によって送信するための情報を生成することと、基地局１１０２の１つまたは複数のコンポーネントを制御することとを行うことができる。基地局１１０２の１つまたは複数のコンポーネントは、たとえば、復号化コンポーネント２１４、ステータスシグナリングコンポーネント２１６、リソースマッピングコンポーネント２１８、インジケータ選択コンポーネント２２０、バンドリングコンポーネント５０６、および／または許可生成コンポーネント５０８を含むことができる。さらに、図示されていないが、基地局１１０２の１つまたは複数のコンポーネントは、プロセッサ１１１４または複数のプロセッサ（図示せず）の一部とすることができることが企図される。
【００９４】
図１２は、本明細書で説明する機能の様々な態様を実装するために利用され得るシステム１２００の図である。システム１２００は、ＵＥ１２０２（たとえば、ＵＥ２０４、．．．）を含むことができる。ＵＥ１２０２は、１つまたは複数のアンテナ１２０６を介して、１つまたは複数の基地局１２０４から（１つまたは複数の）信号を受信し、１つまたは複数の基地局１２０４にその信号を送信することができる。さらに、ＵＥ１２０２は、（１つまたは複数の）アンテナ１２０６から情報を受信する受信機１２０８を含むことができる。一例によれば、受信機１２０８は、受信した情報を復調する復調器（ｄｅｍｏｄ）１２１０に動作可能に結合され得る。復調されたシンボルは、プロセッサ１２１２によって分析され得る。プロセッサ１２１２は、（１つまたは複数の）基地局１２０４に送信すべきデータまたはそこから受信すべきデータ、および／あるいは本明細書に記載する様々な動作および機能を実行することに関係する任意の他の適切なプロトコル、アルゴリズム、情報などを記憶することができるメモリ１２１４に結合され得る。たとえば、ＵＥ１２０２は、方法８００ならびに／または他の同様のおよび適切な方法を実行するために、プロセッサ１２１２を採用することができる。ＵＥ１２０２はさらに、送信機１２１８によって（１つまたは複数の）アンテナ１２０６を介して送信するために信号を多重化することができる変調器１２１６を含むことができる。
【００９５】
プロセッサ１２１２は、受信機１２０８によって受信された情報を分析することに専用のプロセッサ、送信機１２１８によって送信するための情報を生成することに専用のプロセッサ、またはＵＥ１２０２の１つまたは複数のコンポーネントを制御することに専用のプロセッサとすることができる。別の例によれば、プロセッサ１２１２は、受信機１２０８によって受信された情報を分析することと、送信機１２１８によって送信するための情報を生成することと、ＵＥ１２０２の１つまたは複数のコンポーネントを制御することとを行うことができる。ＵＥ１２０２の１つまたは複数のコンポーネントは、たとえば、アップリンクＭＩＭＯ送信コンポーネント２０６、レイヤマッピングコンポーネント２１０、復号化コンポーネント２２２、および／またはステータス検出コンポーネント２２４を含むことができる。さらに、図示されていないが、ＵＥ１２０２の１つまたは複数のコンポーネントは、プロセッサ１２１２または複数のプロセッサ（図示せず）の一部とすることができることが企図される。
【００９６】
図１３に、例示的なワイヤレス通信システム１３００を示す。ワイヤレス通信システム１３００には、簡潔のために、１つの基地局１３１０と、１つのＵＥ１３５０とを示してある。ただし、システム１３００は、２つ以上の基地局および／または２つ以上のＵＥを含むことができ、追加の基地局および／またはＵＥは、以下で説明する例示的な基地局１３１０およびＵＥ１３５０と実質的に同様または異なるものとすることができることを諒解されたい。さらに、基地局１３１０および／またはＵＥ１３５０は、それらの間のワイヤレス通信を可能にするために、本明細書で説明するシステム（図１〜図６および図９〜図１２）および／または方法（図７〜図８）を採用することができることを諒解されたい。
【００９７】
基地局１３１０において、いくつかのデータストリームのトラフィックデータがデータソース１３１２から送信（ＴＸ）データプロセッサ１３１４に供給される。一例によれば、各データストリームはそれぞれのアンテナを介して送信され得る。ＴＸデータプロセッサ１３１４は、トラフィックデータストリーム用に選択された特定のコーディング方式に基づいて、そのデータストリームをフォーマットし、コーディングし、インターリーブして、コード化データを与える。
【００９８】
各データストリームのコード化データは、直交周波数分割多重（ＯＦＤＭ）技法を使用してパイロットデータと多重化され得る。追加または代替として、パイロットシンボルは、周波数分割多重（ＦＤＭ）、時分割多重（ＴＤＭ）、または符号分割多重（ＣＤＭ）とすることができる。パイロットデータは、一般に、知られている方法で処理される知られているデータパターンであり、チャネル応答を推定するためにＵＥ１３５０において使用され得る。各データストリームの多重化されたパイロットおよびコード化データは、変調シンボルを与えるために、そのデータストリーム用に選択された特定の変調方式（たとえば、２相位相変調（ＢＰＳＫ）、４相位相変調（ＱＰＳＫ）、Ｍ相位相変調（Ｍ−ＰＳＫ）、多値直交振幅変調（Ｍ−ＱＡＭ）など）に基づいて変調（たとえば、シンボルマッピング）され得る。各データストリームのデータレート、コーディング、および変調は、プロセッサ１３３０によって実行または与えられる命令によって判断され得る。
【００９９】
データストリームの変調シンボルはＴＸ  ＭＩＭＯプロセッサ１３２０に供給され、ＴＸ  ＭＩＭＯプロセッサ１３２０は、（たとえば、ＯＦＤＭ用に）変調シンボルをさらに処理することができる。次いで、ＴＸ  ＭＩＭＯプロセッサ１３２０は、ＮT個の変調シンボルストリームをＮT個の送信機（ＴＭＴＲ）１３２２ａ〜１３２２ｔに供給する。様々な実施形態では、ＴＸ  ＭＩＭＯプロセッサ１３２０は、データストリームのシンボルと、シンボルの送信元のアンテナとにビームフォーミング重みを適用する。
【０１００】
各送信機１３２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。さらに、送信機１３２２ａ〜１３２２ｔからのＮT個の変調信号は、それぞれ、ＮT個のアンテナ１３２４ａ〜１３２４ｔから送信される。
【０１０１】
ＵＥ１３５０において、送信された変調信号はＮR個のアンテナ１３５２ａ〜１３５２ｒによって受信され、各アンテナ１３５２からの受信信号は、それぞれの受信機（ＲＣＶＲ）１３５４ａ〜１３５４ｒに供給される。各受信機１３５４は、それぞれの信号を調整（たとえば、フィルタ処理、増幅、およびダウンコンバート）し、調整された信号をデジタル化して、サンプルを与え、さらに、それらのサンプルを処理して、対応する「受信」シンボルストリームを供給する。
【０１０２】
ＲＸデータプロセッサ１３６０は、特定の受信機処理技法に基づいてＮR個の受信機１３５４からＮR個の受信シンボルストリームを受信し、処理して、ＮT個の「検出」シンボルストリームを供給する。ＲＸデータプロセッサ１３６０は、各検出シンボルストリームを復調し、デインタリーブし、復号化して、データストリームのトラフィックデータを復元することができる。ＲＸデータプロセッサ１３６０による処理は、基地局１３１０においてＴＸ  ＭＩＭＯプロセッサ１３２０およびＴＸデータプロセッサ１３１４によって実行される処理を補足するものである。
【０１０３】
プロセッサ１３７０は、上述のように、どの利用可能な技術を利用すべきかを周期的に判断することができる。さらに、プロセッサ１３７０は、行列インデックス部分とランク値部分とを備える逆方向リンクメッセージを作成することができる。
【０１０４】
逆方向リンクメッセージは、通信リンクおよび／または受信データストリームに関する様々なタイプの情報を備えることができる。逆方向リンクメッセージは、データソース１３３６からいくつかのデータストリームのトラフィックデータをも受信するＴＸデータプロセッサ１３３８によって処理され、変調器１３８０によって変調され、送信機１３５４ａ〜１３５４ｒによって調整され、基地局１３１０に戻される。
【０１０５】
基地局１３１０において、ＵＥ１３５０からの変調信号は、アンテナ１３２４によって受信され、受信機１３２２によって調整され、復調器１３４０によって復調され、ＲＸデータプロセッサ１３４２によって処理されて、ＵＥ１３５０によって送信された逆方向リンクメッセージが抽出される。さらに、プロセッサ１３３０は、抽出されたメッセージを処理して、ビームフォーミング重みを判断するためにどのプリコーディング行列を使用すべきかを判断することができる。
【０１０６】
プロセッサ１３３０および１３７０は、それぞれ基地局１３１０およびＵＥ１３５０における動作を指示（たとえば、制御、調整、管理など）することができる。それぞれのプロセッサ１３３０および１３７０は、プログラムコードおよびデータを記憶するメモリ１３３２および１３７２に関連付けられ得る。プロセッサ１３３０および１３７０はまた、それぞれ、アップリンクとダウンリンクとに関して周波数推定値とインパルス応答推定値とを導き出すために計算を実行することができる。
【０１０７】
本明細書で説明する態様は、ハードウェア、ソフトウェア、ファームウェア、ミドルウェア、マイクロコード、またはそれらの任意の組合せで実装できることを理解されたい。ハードウェア実装の場合、処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明した機能を実行するように設計された他の電子ユニット、またはそれらの組合せの中で実装され得る。
【０１０８】
実施形態は、ソフトウェア、ファームウェア、ミドルウェアまたはマイクロコード、プログラムコードまたはコードセグメントで実装した場合、記憶コンポーネントなどの機械可読媒体に記憶され得る。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む、好適な手段を使用してパス、フォワーディング、または送信され得る。
【０１０９】
ソフトウェア実装の場合、本明細書で説明した技法は、本明細書で説明した機能を実行するモジュール（たとえば、プロシージャ、関数など）を用いて実装され得る。ソフトウェアコードは、メモリユニットに記憶され、プロセッサによって実行され得る。メモリユニットは、プロセッサの内部またはプロセッサの外部に実装され、その場合、当技術分野で知られているように様々な手段によってプロセッサに通信可能に結合され得る。
【０１１０】
以上の説明は、１つまたは複数の実施形態の例を含む。もちろん、上述の態様について説明する目的で、コンポーネントまたは方法のあらゆる考えられる組合せについて説明することは不可能であるが、当業者なら、様々な態様の多数のさらなる組合せおよび置換が可能であることを認識できよう。したがって、説明した態様は、添付の特許請求の範囲の趣旨および範囲内に入るすべてのそのような改変形態、変更形態、および変形形態を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。
以下に、本願出願の当初の特許請求の範囲に記載された発明を付記する。
［Ｃ１］
ユーザ機器（ＵＥ）から多重コードワードアップリンク送信の複数のコードワードを受信することと、
前記複数のコードワードの復号化ステータスを判断することと、
前記複数のコードワードの前記復号化ステータスを前記ＵＥに送ることと
を備える、ワイヤレス通信のための方法。
［Ｃ２］
前記送ることは、
第１の物理ハイブリッド自動再送要求（ＨＡＲＱ）インジケータチャネル（ＰＨＩＣＨ）を介して第１のコードワードの第１の復号化ステータスを送ることと、
第２のＰＨＩＣＨを介して第２のコードワードの第２の復号化ステータスを送ることとを備える、［Ｃ１］に記載の方法。
［Ｃ３］
前記送ることは、単一の物理ハイブリッド自動再送要求（ＨＡＲＱ）インジケータチャネル（ＰＨＩＣＨ）を介して前記復号化ステータスを送ることを備える、
［Ｃ１］に記載の方法。
［Ｃ４］
前記複数のコードワードの前記復号化ステータスに基づいて前記単一のＰＨＩＣＨがマッピングされるリソース要素を選択することをさらに備える、
［Ｃ３］に記載の方法。
［Ｃ５］
前記単一のＰＨＩＣＨによって搬送されるインジケータと、前記単一のＰＨＩＣＨがマッピングされる前記リソース要素とを使用して、前記複数のコードワードの前記復号化ステータスを伝達することをさらに備える、
［Ｃ４］に記載の方法。
［Ｃ６］
前記送ることは、少なくとも部分的に物理ダウンリンク制御チャネル（ＰＤＣＣＨ）を送ることによって、前記複数のコードワードの前記復号化ステータスを送ることを備える、
［Ｃ１］に記載の方法。
［Ｃ７］
前記ＰＤＣＣＨは、第１のコードワードに対応する第１の復号化ステータスと、第２のコードワードに対応する第２の復号化ステータスとを識別する情報を搬送する、
［Ｃ６］に記載の方法。
［Ｃ８］
前記ＰＤＣＣＨは、前記複数のコードワードから特定のコードワードを指定する情報を搬送する、
［Ｃ６］に記載の方法。
［Ｃ９］
前記特定のコードワードの復号化ステータスが、物理ハイブリッド自動再送要求（ＨＡＲＱ）インジケータチャネル（ＰＨＩＣＨ）によって搬送されるインジケータによって伝達される、
［Ｃ８］に記載の方法。
［Ｃ１０］
前記特定のコードワードの復号化ステータスがあらかじめ決定される、［Ｃ８］に記載の方法。
［Ｃ１１］
前記ＰＤＣＣＨが、トランスポートブロックコードワードスワップを適用するように前記ＵＥに示す情報を搬送する、
［Ｃ６］に記載の方法。
［Ｃ１２］
ユーザ機器（ＵＥ）から多重コードワードアップリンク送信の複数のコードワードを受信するための受信モジュールと、
前記複数のコードワードの復号化ステータスを判断するための復号化モジュールと、  前記複数のコードワードの前記復号化ステータスを前記ＵＥに送るための送信モジュールと
を備える、ワイヤレス通信のための装置。
［Ｃ１３］
前記送信モジュールは、複数の物理ハイブリッド自動再送要求（ＨＡＲＱ）インジケータチャネル（ＰＨＩＣＨ）を送ることによって前記複数のコードワードの前記復号化ステータスを送るように構成される、［Ｃ１２］に記載の装置。
［Ｃ１４］
前記送信モジュールは、単一の物理ハイブリッド自動再送要求（ＨＡＲＱ）インジケータチャネル（ＰＨＩＣＨ）を送ることによって前記複数のコードワードの前記復号化ステータスを送るように構成される、
［Ｃ１２］に記載の装置。
［Ｃ１５］
前記複数のコードワードの前記復号化ステータスに基づいて前記単一のＰＨＩＣＨがマッピングされるリソース要素を選択することをさらに備える、
［Ｃ１４］に記載の装置。
［Ｃ１６］
前記送信モジュールは、前記単一のＰＨＩＣＨによって搬送されるインジケータと、前記単一のＰＨＩＣＨがマッピングされる前記リソース要素とを使用して、前記複数のコードワードの前記復号化ステータスを送るように構成される、
［Ｃ１５］に記載の装置。
［Ｃ１７］
前記送信モジュールは、少なくとも部分的に物理ダウンリンク制御チャネル（ＰＤＣＣＨ）を送ることによって、前記複数のコードワードの前記復号化ステータスを送るように構成される、
［Ｃ１２］に記載の装置。
［Ｃ１８］
前記ＰＤＣＣＨは、第１のコードワードに対応する第１の復号化ステータスと、第２のコードワードに対応する第２の復号化ステータスとを識別する情報を搬送する、
［Ｃ１７］に記載の装置。
［Ｃ１９］
前記ＰＤＣＣＨは、前記複数のコードワードから特定のコードワードを指定する情報を搬送する、
［Ｃ１７］に記載の装置。
［Ｃ２０］
前記特定のコードワードの復号化ステータスは、物理ハイブリッド自動再送要求（ＨＡＲＱ）インジケータチャネル（ＰＨＩＣＨ）によって搬送されるインジケータによって伝達される、
［Ｃ１９］に記載の装置。
［Ｃ２１］
ユーザ機器（ＵＥ）から多重コードワードアップリンク送信の複数のコードワードを受信するための手段と、
前記複数のコードワードの復号化ステータスを判断するための手段と、
前記複数のコードワードの前記復号化ステータスを前記ＵＥに送るための手段と
を備える、ワイヤレス通信のための装置。
［Ｃ２２］
送るための前記手段は、前記複数のコードワードの前記復号化ステータスを伝達する単一の物理ハイブリッド自動再送要求（ＨＡＲＱ）インジケータチャネル（ＰＨＩＣＨ）を前記ＵＥに送るための手段を備える、
［Ｃ２１］に記載の装置。
［Ｃ２３］
送るための前記手段は、前記複数のコードワードの前記復号化ステータスを伝達する複数の物理ハイブリッド自動再送要求（ＨＡＲＱ）インジケータチャネル（ＰＨＩＣＨ）を前記ＵＥに送るための手段を備える、
［Ｃ２１］に記載の装置。
［Ｃ２４］
送るための前記手段は、前記複数のコードワードの前記復号化ステータスの少なくとも一部分を伝達する物理ダウンリンク制御チャネル（ＰＤＣＣＨ）を前記ＵＥに送るための手段を備える、
［Ｃ２１］に記載の装置。
［Ｃ２５］
ユーザ機器（ＵＥ）から多重コードワードアップリンク送信の複数のコードワードを受信するためのコードと、
前記複数のコードワードの復号化ステータスを判断するためのコードと、
前記複数のコードワードの前記復号化ステータスを前記ＵＥにシグナリングするためのコードと
を備えるコンピュータ可読媒体
を備える、コンピュータプログラム製品。
［Ｃ２６］
シグナリングするための前記コードは、前記複数のコードワードの前記復号化ステータスを伝達する単一の物理ハイブリッド自動再送要求（ＨＡＲＱ）インジケータチャネル（ＰＨＩＣＨ）を前記ＵＥに送るためのコードを備える、
［Ｃ２５］に記載のコンピュータプログラム製品。
［Ｃ２７］
シグナリングするための前記コードは、前記複数のコードワードの前記復号化ステータスを伝達する複数の物理ハイブリッド自動再送要求（ＨＡＲＱ）インジケータチャネル（ＰＨＩＣＨ）を前記ＵＥに送るためのコードを備える、
［Ｃ２５］に記載のコンピュータプログラム製品。
［Ｃ２８］
シグナリングするための前記コードは、前記複数のコードワードの前記復号化ステータスの少なくとも一部分を伝達する物理ダウンリンク制御チャネル（ＰＤＣＣＨ）を前記ＵＥに送るためのコードを備える、
［Ｃ２５］に記載のコンピュータプログラム製品。
［Ｃ２９］
アップリンク多入力多出力（ＭＩＭＯ）送信の一部として複数のコードワードを基地局に送ることと、
前記基地局から伝達された前記複数のコードワードの復号化ステータスを検出することと
を備える、ワイヤレス通信のための方法。
［Ｃ３０］
前記検出することは、複数の物理ハイブリッド自動再送要求（ＨＡＲＱ）インジケータチャネル（ＰＨＩＣＨ）から前記復号化ステータスを検出することを備える、
［Ｃ２９］に記載の方法。
［Ｃ３１］
前記検出することは、単一の物理ハイブリッド自動再送要求（ＨＡＲＱ）インジケータチャネル（ＰＨＩＣＨ）から前記復号化ステータスを検出することを備える、
［Ｃ２９］に記載の方法。
［Ｃ３２］
複数のリソース要素ロケーションにおいて前記単一のＰＨＩＣＨを復号化しようと試みることと、
前記複数のリソース要素ロケーションにおける復号化結果と前記単一のＰＨＩＣＨによって搬送されるインジケータとに応じて前記復号化ステータスを判断することと
をさらに備える、［Ｃ３１］に記載の方法。
［Ｃ３３］
前記検出することは、少なくとも部分的に物理ダウンリンク制御チャネル（ＰＤＣＣＨ）から前記復号化ステータスを検出することを備える、
［Ｃ２９］に記載の方法。
［Ｃ３４］
前記ＰＤＣＣＨは、第１のコードワードに対応する第１の復号化ステータスと、第２のコードワードに対応する第２の復号化ステータスとを識別する情報を搬送する、
［Ｃ３３］に記載の方法。
［Ｃ３５］
前記ＰＤＣＣＨは、前記複数のコードワードから特定のコードワードを指定する情報を搬送し、前記特定のコードワードの復号化ステータスは、あらかじめ決定されるか、または物理ハイブリッド自動再送要求（ＨＡＲＱ）インジケータチャネル（ＰＨＩＣＨ）によって搬送されるインジケータによって伝達される、
［Ｃ３３］に記載の方法。
［Ｃ３６］
アップリンク多入力多出力（ＭＩＭＯ）送信の一部として複数のコードワードを基地局に送るための送信モジュールと、
前記基地局から伝達された復号化ステータスを受信するための受信モジュールと、
前記複数のコードワードの前記復号化ステータスを検出するための検出モジュールとを備える、ワイヤレス通信のための装置。
［Ｃ３７］
前記検出モジュールは、複数の物理ハイブリッド自動再送要求（ＨＡＲＱ）インジケータチャネル（ＰＨＩＣＨ）から前記複数のコードワードの前記復号化ステータスを検出するように構成される、［Ｃ３６］に記載の装置。
［Ｃ３８］
前記検出モジュールは、単一の物理ハイブリッド自動再送要求（ＨＡＲＱ）インジケータチャネル（ＰＨＩＣＨ）から前記複数のコードワードの前記復号化ステータスを検出するように構成される、
［Ｃ３６］に記載の装置。
［Ｃ３９］
複数のリソース要素ロケーションにおいて前記単一のＰＨＩＣＨを復号化しようと試みるための復号化モジュールをさらに備え、前記検出モジュールは、前記複数のリソース要素ロケーションにおける復号化結果と前記単一のＰＨＩＣＨによって搬送されるインジケータとに応じて前記複数のコードワードの前記復号化ステータスを導出するように構成される、
［Ｃ３８］に記載の装置。
［Ｃ４０］
前記検出モジュールは、少なくとも部分的に物理ダウンリンク制御チャネル（ＰＤＣＣＨ）から前記複数のコードワードの前記復号化ステータスを検出するように構成される、［Ｃ３６］に記載の装置。
［Ｃ４１］
アップリンク多入力多出力（ＭＩＭＯ）送信の一部として複数のコードワードを基地局に送るための手段と、
前記基地局から伝達された前記複数のコードワードの復号化ステータスを検出するための手段と
を備える、ワイヤレス通信のための装置。
［Ｃ４２］
前記基地局から前記復号化ステータスを伝達する単一の物理ハイブリッド自動再送要求（ＨＡＲＱ）インジケータチャネル（ＰＨＩＣＨ）を受信するための手段をさらに備える、
［Ｃ４１］に記載の装置。
［Ｃ４３］
前記基地局から前記復号化ステータスを伝達する複数の物理ハイブリッド自動再送要求（ＨＡＲＱ）インジケータチャネル（ＰＨＩＣＨ）を受信するための手段をさらに備える、
［Ｃ４１］に記載の装置。
［Ｃ４４］
前記基地局から前記復号化ステータスの少なくとも一部分を伝達する物理ダウンリンク制御チャネル（ＰＤＣＣＨ）を受信するための手段をさらに備える、
［Ｃ４１］に記載の装置。
［Ｃ４５］
アップリンク多入力多出力（ＭＩＭＯ）送信の一部として複数のコードワードを基地局に送るためのコードと、
前記基地局から伝達された前記複数のコードワードの復号化ステータスを検出するためのコードと
を備えるコンピュータ可読媒体
を備える、コンピュータプログラム製品。
［Ｃ４６］
前記コンピュータ可読媒体は、前記基地局から前記復号化ステータスを伝達する単一の物理ハイブリッド自動再送要求（ＨＡＲＱ）インジケータチャネル（ＰＨＩＣＨ）を受信するためのコードをさらに備える、
［Ｃ４５］に記載のコンピュータプログラム製品。
［Ｃ４７］
前記コンピュータ可読媒体は、前記基地局から前記復号化ステータスを伝達する複数の物理ハイブリッド自動再送要求（ＨＡＲＱ）インジケータチャネル（ＰＨＩＣＨ）を受信するためのコードをさらに備える、
［Ｃ４５］に記載のコンピュータプログラム製品。
［Ｃ４８］
前記コンピュータ可読媒体は、前記基地局から前記復号化ステータスの少なくとも一部分を伝達する物理ダウンリンク制御チャネル（ＰＤＣＣＨ）を受信するためのコードをさらに備える、
［Ｃ４５］に記載のコンピュータプログラム製品。
【図１】
0005507685.tif 000002
【図２】
0005507685.tif 000003
【図３】
0005507685.tif 000004
【図４】
0005507685.tif 000005
【図５】
0005507685.tif 000006
【図６】
0005507685.tif 000007
【図７】
0005507685.tif 000008
【図８】
0005507685.tif 000009
【図９】
0005507685.tif 000010
【図１０】
0005507685.tif 000011
【図１１】
0005507685.tif 000012
【図１２】
0005507685.tif 000013
【図１３】
0005507685.tif 000014